(57)【要約】      （修正有）【課題】ワイヤレスネットワークにおいてＭＴＣを行う方法および装置を提供する。【解決手段】ＭＴＣに関係するデータを通信するために広いシステム帯域幅内の狭い帯域幅が割り振られる。狭い帯域幅内のＭＴＣ  ＵＥのための１つまたは複数のＭＴＣ制御チャネル上で通信するために生成されたＭＴＣ制御データが、１つまたは複数のＭＴＣ制御チャネル上で送信される。１つまたは複数のＭＴＣチャネルは、広いシステム帯域幅上で１つまたは複数のレガシーチャネルと多重化される。【選択図】図７
2018129854.tif 000002
【特許請求の範囲】
【請求項１】
ワイヤレスネットワークにおいてマシンタイプ通信（ＭＴＣ）を供するための方法であって、
ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することとを備える、上記方法。
【請求項２】
前記広いシステム帯域幅中の前記１つまたは複数のレガシーチャネルのうちの少なくとも１つを、前記１つまたは複数のＭＴＣ制御チャネルのうちの少なくとも１つでパンクチャすることをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、請求項１に記載の方法。
【請求項３】
前記１つまたは複数のレガシーチャネルのうちの少なくとも１つで、前記広いシステム帯域幅中の前記１つまたは複数のＭＴＣ制御チャネルのうちの少なくとも１つを、パンクチャすることをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、請求項１に記載の方法。
【請求項４】
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトすることをさらに備える、請求項１に記載の方法。
【請求項５】
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトすることをさらに備える、請求項１に記載の方法。
【請求項６】
システム情報ブロック中で非ＭＴＣ  ＵＥに対する禁止された周波数帯域幅を示すことをさらに備える、請求項１に記載の方法。
【請求項７】
システム情報ブロック中にＭＴＣインジケータビットを含めることをさらに備える、請求項１に記載の方法。
【請求項８】
前記ＭＴＣ制御チャネルは、前記広いシステム帯域幅のレガシーデータ領域中の複数のシンボルにわたる、請求項１に記載の方法。
【請求項９】
ＭＴＣを送信するための現在サブフレームを決定することと、
前記広いシステム帯域幅のレガシー制御領域を、ＭＴＣを送信するための前記現在のサブフレームを決定することに基づいて前記複数のシンボルに先行するいくつかのシンボルに制限することとをさらに備える、請求項８に記載の方法。
【請求項１０】
前記ＭＴＣ制御チャネルは、前記レガシー制御領域のための前記いくつかのシンボル中の最後のシンボルに続くシンボルにおいて開始する、請求項９に記載の方法。
【請求項１１】
ＭＴＣに関係するデータを通信するために広いシステム帯域幅内の狭い帯域幅を割り振るための手段と、
前記狭い帯域幅内のＭＴＣ  ＵＥのための１つまたは複数のＭＴＣ制御チャネル上で通信するためにＭＴＣ制御データを生成するための手段と、
前記広いシステム帯域幅上で１つまたは複数のレガシーチャネルと多重化された前記１つまたは複数のＭＴＣ制御チャネルを送信するための手段とを備える、ワイヤレス通信のための装置。
【請求項１２】
前記広いシステム帯域幅中の前記１つまたは複数のレガシーチャネルのうちの少なくとも１つを、前記１つまたは複数のＭＴＣ制御チャネルのうちの少なくとも１つでパンクチャするための手段をさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、請求項１１に記載の装置。
【請求項１３】
前記広いシステム帯域幅中の前記１つまたは複数のＭＴＣ制御チャネルのうちの少なくとも１つを、前記１つまたは複数のレガシーチャネルのうちの少なくとも１つでパンクチャするための手段をさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、請求項１１に記載の装置。
【請求項１４】
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネル、のうちの少なくとも１つを周波数においてシフトするための手段をさらに備える、請求項１１に記載の装置。
【請求項１５】
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするための手段をさらに備える、請求項１１に記載の装置。
【請求項１６】
システム情報ブロック中で非ＭＴＣ  ＵＥに対する禁止された周波数帯域幅を示すための手段をさらに備える、請求項１１に記載の装置。
【請求項１７】
システム情報ブロック中にＭＴＣインジケータビットを含めるための手段をさらに備える、請求項１１に記載の装置。
【請求項１８】
前記ＭＴＣ制御チャネルが前記広いシステム帯域幅のレガシーデータ領域中の複数のシンボルにわたる、請求項１１に記載の装置。
【請求項１９】
ＭＴＣを送信するための現在サブフレームを決定するための手段と、
前記広いシステム帯域幅のレガシー制御領域を、ＭＴＣを送信するための前記現在のサブフレームを決定することに基づいて前記シンボルに先行するいくつかのシンボルに制限するための手段とをさらに備える、請求項１８に記載の装置。
【請求項２０】
前記ＭＴＣ制御チャネルは、前記レガシー制御領域のための前記いくつかのシンボル中の最後のシンボルに続くシンボルにおいて開始する、請求項１９に記載の装置。
【請求項２１】
ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することとを行うように構成された処理システムを備える、ワイヤレス通信のための装置。
【請求項２２】
前記処理システムは、前記広いシステム帯域幅中の前記１つまたは複数のレガシーチャネルのうちの少なくとも１つを、前記１つまたは複数のＭＴＣ制御チャネルのうちの少なくとも１つでパンクチャするようにさらに構成され、ここにおいて、前記少なくとも１つのレガシーチャネルは、前記広いシステム帯域幅中の前記少なくとも１つのＭＴＣ制御チャネルと複数のシンボルを重複するレガシー制御チャネルである、請求項２１に記載の装置。
【請求項２３】
前記処理システムは、前記広いシステム帯域幅中の前記１つまたは複数のＭＴＣ制御チャネルのうちの少なくとも１つを、前記１つまたは複数のレガシーチャネルのうちの少なくとも１つでパンクチャするようにさらに構成され、ここにおいて、前記少なくとも１つのレガシーチャネルは、前記広いシステム帯域幅中の前記少なくとも１つのＭＴＣ制御チャネルと複数のシンボルを重複するレガシー制御チャネルである、請求項２１に記載の装置。
【請求項２４】
前記処理システムは、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトするようにさらに構成される、請求項２１に記載の装置。
【請求項２５】
前記処理システムは、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするようにさらに構成される、請求項２１に記載の装置。
【請求項２６】
前記処理システムが、システム情報ブロック中で非ＭＴＣ  ＵＥに対する禁止された周波数帯域幅を示すようにさらに構成される、請求項２１に記載の装置。
【請求項２７】
前記処理システムは、システム情報ブロック中にＭＴＣインジケータビットを含めるようにさらに構成される、請求項２１に記載の装置。
【請求項２８】
前記ＭＴＣ制御チャネルは、前記広いシステム帯域幅のレガシーデータ領域中の複数のシンボルにわたっている、請求項２１に記載の装置。
【請求項２９】
前記処理システムは、
ＭＴＣを送信するための現在のサブフレームを決定することと、
前記広いシステム帯域幅のレガシー制御領域を、ＭＴＣを送信するための前記現在のサブフレームを決定することに基づいて前記複数のシンボルに先行するいくつかのシンボルに制限することと、を行うようにさらに構成される、請求項２８に記載の装置。
【請求項３０】
前記ＭＴＣ制御チャネルは、前記レガシー制御領域のための前記いくつかのシンボル中の最後のシンボルに続くシンボルにおいて開始する、請求項２９に記載の装置。
【請求項３１】
ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することと、
のためのコードを備えるコンピュータ可読媒体を備える、コンピュータプログラム製品。
【請求項３２】
前記コンピュータ可読媒体が、前記広いシステム帯域幅中の前記１つまたは複数のレガシーチャネルのうちの少なくとも１つを、前記１つまたは複数のＭＴＣ制御チャネルのうちの少なくとも１つでパンクチャするためのコードをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、請求項３１に記載のコンピュータプログラム製品。
【請求項３３】
前記コンピュータ可読媒体が、前記広いシステム帯域幅中の前記１つまたは複数のＭＴＣ制御チャネルのうちの少なくとも１つを、前記１つまたは複数のレガシーチャネルのうちの少なくとも１つでパンクチャするためのコードをさらに備え、ここにおいて、前記少なくとも１つのレガシーチャネルが、前記広いシステム帯域幅中の前記少なくとも１つのＭＴＣ制御チャネルと複数のシンボルを重複するレガシー制御チャネルである、請求項３１に記載のコンピュータプログラム製品。
【請求項３４】
前記コンピュータ可読媒体は、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトするためのコードをさらに備える、請求項３１に記載のコンピュータプログラム製品。
【請求項３５】
前記コンピュータ可読媒体は、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするためのコードをさらに備える、請求項３１に記載のコンピュータプログラム製品。
【請求項３６】
前記コンピュータ可読媒体は、システム情報ブロック中で非ＭＴＣ  ＵＥに対する禁止された周波数帯域幅を示すためのコードをさらに備える、請求項３１に記載のコンピュータプログラム製品。
【請求項３７】
前記コンピュータ可読媒体は、システム情報ブロック中にＭＴＣインジケータビットを含めるためのコードをさらに備える、請求項３１に記載のコンピュータプログラム製品。
【請求項３８】
前記ＭＴＣ制御チャネルは、前記広いシステム帯域幅のレガシーデータ領域中のシンボルにわたる、請求項３１に記載のコンピュータプログラム製品。
【請求項３９】
前記コンピュータ可読媒体は、
ＭＴＣを送信するための現在サブフレームを決定することと、
前記広いシステム帯域幅のレガシー制御領域を、ＭＴＣを送信するための前記現在サブフレームを決定することに基づいて前記シンボルに先行するいくつかのシンボルに制限することと、のためのコードをさらに備える、請求項３８に記載のコンピュータプログラム製品。
【請求項４０】
前記ＭＴＣ制御チャネルは、前記レガシー制御領域のための前記いくつかのシンボル中の最後のシンボルに続くシンボルにおいて開始する、請求項３９に記載のコンピュータプログラム製品。
【発明の詳細な説明】
【技術分野】
【０００１】
関連出願の相互参照
[0001]本出願は、それらの全体が参照により本明細書に明確に組み込まれる、２０１２年５月１１日に出願された「Methods and Apparatus for Managing Machine-Type Communications」と題する米国仮出願第６１／６４６，１６９号、２０１２年５月１６日に出願された「Methods and Apparatus for Managing Machine-Type Communications」と題する米国仮出願第６１／６４８，００４号、および２０１３年３月１５日に出願された「Methods and Apparatus for Managing Machine-Type Communications」と題する米国特許出願第１３／８４３，７３３号の利益を主張する。
【０００２】
[0002]本開示は、一般に通信システムに関し、より詳細には、マシンタイプ通信を管理するための方法および装置に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００６】
[0006]一例では、ワイヤレスネットワークにおいてマシンタイプ通信（ＭＴＣ：machine-type-communication）を行うための方法が提供される。本方法は、ＭＴＣに関係するデータを通信するために広いシステム帯域幅内の狭い帯域幅を割り振ることと、狭い帯域幅内のＭＴＣユーザ機器（ＵＥ）のための１つまたは複数のＭＴＣ制御チャネル上で通信するためにＭＴＣ制御データを生成することとを含む。本方法は、広いシステム帯域幅上で１つまたは複数のレガシーチャネルと多重化された１つまたは複数のＭＴＣ制御チャネルを送信することをさらに含む。
【０００７】
[0007]上記および関係する目的を達成するために、１つまたは複数の態様は、以下で十分に説明され、特に特許請求の範囲で指摘される特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【０００８】
【図１】[0008]ネットワークアーキテクチャの一例を示す図。
【図２】[0009]アクセスネットワークの一例を示す図。
【図３】[0010]ＬＴＥにおけるＤＬフレーム構造の一例を示す図。
【図４】[0011]ＬＴＥにおけるＵＬフレーム構造の一例を示す図。
【図５】[0012]ユーザプレーンおよび制御プレーンのための無線プロトコルアーキテクチャの一例を示す図。
【図６】[0013]アクセスネットワーク中の発展型ノードＢおよびユーザ機器の一例を示す図。
【図７】[0014]通信システムを示す図。
【図８Ａ】[0015]非ＭＴＣ  ＵＥのために割り振られた大きい帯域幅中でのＭＴＣ  ＵＥの狭い帯域動作を示す図。
【図８Ｂ】非ＭＴＣ  ＵＥのために割り振られた大きい帯域幅中でのＭＴＣ  ＵＥの狭い帯域動作を示す図。
【図８Ｃ】非ＭＴＣ  ＵＥのために割り振られた大きい帯域幅中でのＭＴＣ  ＵＥの狭い帯域動作を示す図。
【図９】[0016]ＭＴＣダウンリンク帯域幅割振りを示す図。
【図１０Ａ】[0017]ＭＴＣのための帯域幅割振りを示す図。
【図１０Ｂ】ＭＴＣのための帯域幅割振りを示す図。
【図１１】[0018]ＭＴＣダウンリンク帯域幅割振りを示す図。
【図１２】[0019]ＭＴＣダウンリンク帯域幅割振りを示す図。
【図１３】[0020]狭い帯域ＭＴＣをもたないサブフレームと、狭い帯域ＭＴＣをもつサブフレームとを示す図。
【図１４】[0022]ＭＴＣダウンリンク帯域幅割振りを示す図。
【図１５】[0023]ＮＣＴに関連する様々な例示的なｅＰＤＣＣＨ構造を示す図。
【図１６】[0024]ワイヤレスネットワークにおいてＭＴＣを行うための方法のフローチャート。
【図１７Ａ】[0025]ワイヤレスネットワークにおいてＭＴＣを行うためのフローチャート。
【図１７Ｂ】ワイヤレスネットワークにおいてＭＴＣを行うためのフローチャート。
【図１８】[0026]ワイヤレスネットワークにおいてＭＴＣを行うための方法のフローチャート。
【図１９】[0027]ワイヤレスネットワークにおいてＭＴＣを行うための方法のフローチャート。
【図２０】[0028]ワイヤレスネットワークにおいてＭＴＣを行うための方法のフローチャート。
【図２１】[0029]例示的な装置中の異なるモジュール／手段／構成要素間のデータフローを示す概念データフロー図。
【図２２】[0030]処理システムを採用する装置のためのハードウェア実装形態の一例を示す図。
【図２３】[0031]例示的な装置中の異なるモジュール／手段／構成要素間のデータフローを示す概念データフロー図。
【図２４】[0032]処理システムを採用する装置のためのハードウェア実装形態の一例を示す図。
【発明を実施するための形態】
【０００９】
[0033]添付の図面に関して以下に記載される詳細な説明は、様々な構成を説明するものであり、本明細書で説明される概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１０】
[0034]次に、様々な装置および方法に関して電気通信システムのいくつかの態様が提示される。これらの装置および方法は、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【００１１】
[0035]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するために構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0036]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１３】
[0037]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１４】
[0038]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ： session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１５】
[0039]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ： IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のための入口点として働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１６】
[0040]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるために構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最も小さいカバレージエリアを指すことがあり、および／またはｅＮＢサブシステムサービングは特定のカバレージエリアである。さらに、「ｅＮＢ」、「基地局」、および「セル」という用語は、本明細書では互換的に使用され得る。
【００１７】
[0041]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念はＬＴＥ適用例に好適である。ただし、これらの概念は、他の変調および多元接続技法を採用する他の通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広い帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１８】
[0042]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１９】
[0043]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２０】
[0044]以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２１】
[0045]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２２】
[0046]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２３】
[0047]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２４】
[0048]初期システムアクセスを実行し、物理ランダムアクセスチャネル（ＰＲＡＣＨ： physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２５】
[0049]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００２６】
[0050]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２７】
[0051]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２８】
[0052]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２９】
[0053]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３０】
[0054]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３１】
[0055]ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３２】
[0056]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３３】
[0057]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３４】
[0058]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３５】
[0059]ＵＬ送信は、ＵＥ６５０における受信機機能に関して説明された方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３６】
[0060]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３７】
[0061]本明細書では、ワイヤレスネットワークにおいてマシンタイプ通信（ＭＴＣ）のためのサポートを行うことに関する様々な態様が説明される。そのような通信および関係するＭＴＣ  ＵＥについての要件の低減により、そのようなＭＴＣ  ＵＥは、現在のワイヤレス技術のために使用される広い帯域幅の小部分内でサポートされ得る。たとえば、ＭＴＣ  ＵＥは、少なくとも、そのようなＭＴＣ  ＵＥの関係する機能が、より複雑なＵＥ（たとえば、スマートフォン、タブレットなど）の関係する機能よりも少ないので、低減された帯域幅、単一の無線周波数（ＲＦ）チェーン、低減されたピークレート、低減された送信電力、半二重動作などを使用して動作することができる。たとえば、ＭＴＣ  ＵＥのデータレートは、１００キロビット毎秒（ｋｂｐｓ）を超えることが予想されず、したがって、そのようなＭＴＣ  ＵＥは低減されたネットワーク要件とともにサポートされ得る。その上、本明細書で説明されるように、そのような技術における送信モードの一部分がＭＴＣ  ＵＥ通信のためにサポートされ得、および／またはネットワーク複雑さを少なくするために追加のモードが定義され得る。
【００３８】
[0062]従来のＬＴＥ設計は、概して、たとえば、スペクトル効率、ユビキタスカバレージ、および拡張ＱｏＳサポートを改善することに焦点を当てる。そのような改善は、概して、最先端のスマートフォン、タブレットなどのハイエンドデバイスに役立つ。しかしながら、ＭＴＣ  ＵＥなどの低コストおよび低データレートデバイスもサポートされる必要がある。たとえば、使用されているそのような低コストデバイスの数が今日の複雑なセルフォンを超え得ることが示されている。したがって、ＬＴＥシステムにおいてそのようなＭＴＣ  ＵＥをサポートするために、最大帯域幅の低減、単一の受信ＲＦチェーン、ピークレートの低減、送信電力の低減、および半二重動作などの改善が必要とされ得る。
【００３９】
[0063]低コストデバイスのための意図されたデータレートは一般に１００キロビット毎秒（ｋｂｐｓ）未満であるので、コストを低減するために、狭い帯域幅においてのみそのような低コストデバイスを動作させることが可能である。たとえば、２つの動作シナリオが可能であり得る。１つのシナリオでは、何らかの狭い帯域幅、たとえば１．２５メガヘルツ（ＭＨｚ）が、ＭＴＣ動作をサポートするために確保され得る。そのような動作のために、規格変更は必要でないことがある。別のシナリオでは、低コストＵＥは大きい帯域幅中で動作され得る。そのようなシナリオでは、ＭＴＣ  ＵＥなどの低コストＵＥは、スマートフォンおよびタブレットなどの通常の非ＭＴＣ  ＵＥと共存し得る。このシナリオでは、たとえば、大きい帯域幅中での低コストＵＥのための２つの可能な動作が考えられる。第１の動作では、低コストＵＥは、依然として、同じ大きい帯域幅（たとえば、たとえば、最高２０ＭＨｚ）において動作する。そのような第１の動作は、ＬＴＥ規格に影響を及ぼさないことがあるが、コストおよびバッテリ電力消費を低減することに役立たないことがある。第２の動作では、低コストＵＥは、より小さい帯域幅（たとえば、１．２５ＭＨｚ）を用いて動作し得るが、低コストＵＥの性能が影響を及ぼされ得る。
【００４０】
[0064]図７は通信システムを示す図７００である。図７は、ノード７０２と、ＭＴＣ  ＵＥ７０４と、（「非ＭＴＣ  ＵＥ」とも呼ばれる）ＵＥ７０６とを含む。ノード７０２は、マクロノード（たとえば、ｅＮＢ）、フェムトノード、ピコノード、または同様の基地局、モバイル基地局、リレー、（たとえば、別のＵＥとピアツーピアまたはアドホックモードで通信している）ＵＥ、それらの部分、および／またはワイヤレスネットワークにおいて制御データを通信する実質的に任意の構成要素であり得る。ＭＴＣ  ＵＥ７０４および非ＭＴＣ  ＵＥ３１４は、それぞれ、モバイル端末、固定端末、モデム（または他のテザーデバイス）、それらの部分、および／またはワイヤレスネットワークにおいて制御データを受信する実質的に任意のデバイスであり得る。
【００４１】
[0065]図７に示されているように、ＭＴＣ  ＵＥ７０４は、ｅＮＢ７０２からＤＬ送信７１０を受信し、ｅＮＢ７０２にＵＬ送信７０８を送る。一態様では、ＤＬ送信７１０およびＵＬ送信７０８は、ＭＴＣ制御情報またはＭＴＣデータのいずれかを含み得る。図７にさらに示されているように、ＵＥ７０６は、ｅＮＢ７０２からＤＬ送信７１２を受信し、ｅＮＢ７０２にＵＬ送信７１４を送る。
【００４２】
[0066]図８Ａ〜図８Ｃは、非ＭＴＣ  ＵＥのために割り振られた大きい帯域幅中でのＭＴＣ  ＵＥの狭い帯域動作を示す図８０２、８１０、および８１４である。図８Ａは、非ＭＴＣ  ＵＥのために割り振られた大きい帯域幅８０６を示し、ＤＬ中心周波数８０３をさらに示している。したがって、ＤＬは大きい帯域幅８０６の中心において動作する。図８Ａの構成では、影つき部分８０４はＰＤＣＣＨのために確保される。図８Ａにさらに示されているように、狭い帯域幅８０８は、ＵＬとＤＬの両方ために使用され得、１次同期信号（ＰＳＳ：primary synchronization signal）、２次同期信号（ＳＳＳ：secondary synchronization signal）、物理ブロードキャストチャネル（ＰＢＣＨ：physical broadcast channel）、ＳＩＢ、および／またはページングのために使用され得る。たとえば、狭い帯域幅は１．２５ＭＨＺであり得る。図８Ｂは、ＵＬ中心周波数８１１および狭い帯域幅８１２を示している。たとえば、ＵＬランダムアクセスチャネル（ＲＡＣＨ：random access channel）メッセージ（たとえば、メッセージ１およびメッセージ３）は、ネットワークへのアクセスを可能にするためにＵＬ中心周波数８１１においてＭＴＣ  ＵＥによって通信され得る。図８Ｃに示されているように、他のＵＬ送信は、帯域幅８１６など、狭い帯域幅８０８とは異なる帯域幅中で通信され得る。図８Ａ〜図８Ｃにおいて、小さい帯域幅８０８は大きい帯域幅８０６の中心以外の領域中にあり得ることを理解されたい。
【００４３】
[0067]特定の例では、ＬＴＥは、以下の送信モード（ＴＭ：transmission mode）、すなわち、単一アンテナポートのためのＴＭ１、送信ダイバーシティのためのＴＭ２、開ループＭＩＭＯのためのＴＭ３、クローズループＭＩＭＯのためのＴＭ４、マルチユーザＭＩＭＯのためのＴＭ５、シングルレイヤ閉ループＭＩＭＯのためのＴＭ６、専用基準信号（ＲＳ：reference signal）を用いたシングルレイヤビームフォーミングのためのＴＭ７、専用ＲＳを用いたデュアルレイヤビームフォーミングのためのＴＭ８、最高８つのレイヤ送信を用いたＭＩＭＯのためのＴＭ９、および多地点協調（ＣｏＭＰ：coordinated multiple point）のためのＴＭ１０を可能にする。ＳＩＢ／ＭＩＢ送信、ならびにＲＡＣＨのためのメッセージ２およびメッセージ４では、デフォルト送信モードが使用される。単一のためにＴＭ１が使用され、２つの送信（Ｔｘ）アンテナまたは４つのＴｘアンテナのためにＴＭ２が使用される。ＵＥは、ＵＥ固有無線リソース制御（ＲＲＣ）シグナリングに基づいて別の送信モードに切り替えられ得る。
【００４４】
[0068]ＭＩＢまたは物理ブロードキャストチャネル（ＰＢＣＨ）は、帯域幅情報ビット、物理ＨＡＲＱインジケータチャネル（ＰＨＩＣＨ：physical HARQ indicator channel）構成ビット、およびＳＦＮビットなど、様々な情報ビットを含むことができる。帯域幅情報は４ビットであり得るが、そのような帯域幅情報は、狭い帯域動作が使用されるとき、ＭＴＣのために必要とされないことがある。ＰＨＩＣＨ構成ビットは３ビット（たとえば、持続時間のための１ビット、ＰＨＩＣＨグループのための２ビット）であり得る。しかしながら、ＮＣＴが使用される場合、またはＰＢＣＨサブフレームのための固定制御領域が使用される場合、そのようなＰＨＩＣＨ構成は必要とされないことがある。ＳＦＮビットは、最上位ビット（ＭＳＢ）のうちの８ビットであり得る（他の２ビットは、４０ｍｓにおけるＰＢＣＨのブラインド復号からのものであり得る）。ＳＦＮビットはペイロードの後半にシグナリングされ得る。アンテナ情報は別の信号によって搬送され得る。ＰＢＣＨ送信は４つのアンテナポートの周りでマッチし、空間周波数ブロックコード（ＳＦＢＣ：space frequency block code）またはＳＦＢＣ周波数切替え送信ダイバーシティ（ＦＳＴＤ：frequency switched transmit diversity）がアンテナ数２または４のために使用される。４つのタイミング仮定と３つのアンテナ仮定が組み合わせられて、合計１２回のブラインド復号が現在のＰＢＣＨ復号のために必要とされる。
【００４５】
[0069]したがって、コストを低減するために、ＭＴＣは、狭い帯域、たとえば６つのリソースブロック（ＲＢ）中で動作され得る。コスト削減ならびにデータレートに関する限られた要件を考慮して、送信モードは、空間多重化のサポートがないもののみに制限され得る。
【００４６】
[0070]図９は、ＭＴＣダウンリンク帯域幅割振りを示す図９００である。ＭＴＣ帯域幅９０６は、ＵＥ７０６など、ワイヤレスネットワーク中の他のＵＥ（たとえば、非ＭＴＣ
ＵＥ）に割り振られた広いシステム帯域幅（ＷＢ）と比較して、ＭＴＣ  ＵＥ７０４などのＭＴＣデバイスに割り振られた狭い帯域幅（「狭い帯域」（ＮＢ）とも呼ばれる）であり得る。一例では、図９に示されているように、ＭＴＣのための帯域幅９０６はスタンドアロン帯域幅として割り振られ得る。たとえば、帯域幅９０６は、対応するワイヤレスネットワークにおいて利用可能な帯域幅であり得る（たとえば、ＬＴＥでは、５ＭＨｚ、１．４ＭＨｚなど）。図９の例では、ダウンリンク制御チャネル９０２は帯域幅９０６の最初の４つのシンボル上で確保され得、ダウンリンクデータチャネル９０４は帯域幅９０６の後続のシンボル上で確保され得る。たとえば、シンボルは、時間領域におけるいくつかのシンボルにわたる、周波数領域におけるいくつかのサブキャリアを生じるように帯域幅が区分される、ＯＦＤＭシンボルに対応することができる。以下で説明される他の例では、シンボルは、ＴＤＭにおける時間期間、ＦＤＭにおける周波数などに相関することができる。いずれの場合も、本明細書で説明される帯域幅割振りは、ワイヤレスネットワークにおけるサブフレームまたは他の時間期間に相関し得る。
【００４７】
[0071]図１０Ａは、ＭＴＣダウンリンク帯域幅割振りを示す図１０００である。一例では、図１０Ａに示されているように、ＭＴＣのための狭い帯域幅１００３は、対応するワイヤレスネットワークの広いシステム帯域幅１００２内で多重化される。たとえば、狭い帯域幅１００３は、２０ＭＨｚの広いシステム帯域幅１００２内の１．２５ＭＨｚであり得る。広いシステム帯域幅１００２は、ＬＴＥなどにおいて、広いシステム帯域幅１００２に関係するワイヤレスネットワークのレガシー制御チャネルのために確保された領域１００６を有する。広いシステム帯域幅１００２は、レガシーデータチャネルのために確保された領域１００８をも有する。レガシーという用語は、本明細書において、たとえば、ＭＴＣサポートが実装されるワイヤレスネットワークによって使用される現在の技術を記述するために使用される。レガシー制御チャネル１００６とＭＴＣ制御チャネル９０２が衝突する場合、様々なシナリオが可能である。あるシナリオでは、図１０Ａに示されているように、レガシー制御チャネル１００６は、ＭＴＣ制御チャネルの通信がレガシー制御チャネル１００６よりも優先することを保証するために、ＭＴＣのための制御チャネル９０２でパンクチャされ得る。別のシナリオでは、図１０Ｂの図１００１に示されているように、ＭＴＣのための制御チャネル９０２は、レガシー制御チャネル１００６の通信がＭＴＣ制御チャネル９０２よりも優先することを保証するために、レガシー制御チャネル１００６でパンクチャされ得る。そのようなシナリオでは、ＭＴＣのための制御領域９０２は固定であり得、したがって、１次制御フォーマットインジケータチャネル（ＰＣＦＩＣＨ：primary control format indicator channel）の必要がないことがある。その上、ＰＤＣＣＨがＵＬ再送信のために使用され得、したがって、ＰＨＩＣＨの必要がないことがある。他の可能なシナリオでは、チャネル１００６もチャネル９０２もパンクチャされず、したがって、競合を解決するためにＵＥ実装形態が依拠される（たとえば、干渉消去）、レガシー制御チャネル１１０６のための電力とＭＴＣ制御チャネル９０２のための電力とが異なり得、それぞれの優先度に従って、半静的に、動的になどのいずれかで調整され得る、レガシー制御チャネル１００６およびＭＴＣ制御チャネルが２つのシステムとして動作され得、一方が、帯域幅能力、キャリア能力、ＭＴＣ能力、または他の能力に基づいて禁止され得る、などである。他のシナリオが可能であり、上記のリストはそのようなシナリオの例である。いずれの場合も、広いシステム帯域幅に関係するワイヤレスネットワークの他のデータは、レガシー制御チャネル領域１００６の外部のＭＴＣデータおよび／または制御チャネルの周りにスケジュールされ得ることを諒解されたい。
【００４８】
[0072]図１１は、ＭＴＣダウンリンク帯域幅割振りを示す図１１００である。一例では、図１１に示されているように、ＭＴＣのための狭い帯域幅１１０３は、対応するワイヤレスネットワークの広いシステム帯域幅１１０２内で多重化される。たとえば、狭い帯域幅１１０３は、２０ＭＨｚの広いシステム帯域幅１１０２内の１．２５ＭＨｚであり得る。広いシステム帯域幅１１０２は、ＬＴＥなどにおいて、広いシステム帯域幅１１０２に関係するワイヤレスネットワークのレガシー制御チャネルのために確保された領域１１０６を有する。広いシステム帯域幅１１０２は、レガシーデータチャネルのために確保された領域１１０８をも有する。図１１に示されているように、チャネル１１０６もチャネル９０２もパンクチャされず、したがって、競合を解決するためにＵＥ実装形態が依拠される（たとえば、干渉消去）。
【００４９】
[0073]図１１を参照すると、ＭＴＣのための狭い帯域幅１１０３は、レガシー制御領域１１０６に干渉することを回避するために、レガシー制御領域１１０６の外部に割り振られ得る。広いシステム帯域幅１１０２に関係するワイヤレスネットワーク中の他のデータ通信は、ＭＴＣのための狭い帯域幅１１０３の周りにスケジュールされ得る。たとえば、ＬＴＥでは、制御領域１１０６は０〜３つのシンボルを占有することができる。一例では、ＭＴＣ制御データ９０２を受け入れるために、ＭＴＣデータ９０４が送信されるサブフレーム中の制御領域１１０６は（たとえば、１つのデータシンボルに）制限され得、ＭＴＣデータ９０４は次の（たとえば、第２の）シンボルから開始することができる。別の例では、ＭＴＣデータ９０４が送信されるサブフレーム中の制御領域１１０６は２つのデータシンボルに制限され得、ＭＴＣデータ９０４は次の（たとえば、第３の）シンボルから開始することができる。この点について、いくつかのサブフレームのみがＭＴＣを送信するために利用され得、それらのサブフレームは、（たとえば、被サービス非ＭＴＣ  ＵＥの数と比較して）被サービスＭＴＣ  ＵＥの数に基づいて決定され得ることを諒解されたい。図１０Ａ、図１０Ｂ、図１１、および図１２は、それぞれ、１つの例示的なＭＴＣ割振りを示している。ただし、図１０Ａ、図１０Ｂ、図１１、および図１２に示された例示的な割振りに加えて、所与のサブフレーム中で複数のＭＴＣ割振りが可能であり得ることを理解されたい。
【００５０】
[0074]図１２は、ＭＴＣダウンリンク帯域幅割振りを示す図１２００である。図１２は、発展型物理ダウンリンク制御チャネル（ｅＰＤＣＣＨ：evolved physical downlink control channel）１２０１と、ＰＤＳＣＨ１２０４と、レガシーデータチャネル１２０６とを含む。一例では、図１２に示されているように、ＭＴＣのための狭い帯域幅１２０３は、広いシステム帯域幅１２０２が周波数帯域全体にわたる制御領域を有しない場合、広いシステム帯域幅１２０２内で多重化される。たとえば、本明細書でさらに説明されるように、ｅＰＤＣＣＨ１２０１など、周波数帯域の一部分上にダウンリンク制御領域を定義するニューキャリアタイプ（ＮＣＴ）が展開され得る。したがって、ＭＴＣ通信９０２および９０４は、レガシーＮＣＴ制御チャネル通信に干渉しないように、広いシステム帯域幅１２０２のレガシーデータ領域１２０６内にスケジュールされ得る。
【００５１】
[0075]次に、他のユーザとのＭＴＣユーザのＴＤＭパーティションが説明される。たとえば、図１３は、狭い帯域ＭＴＣをもたないサブフレーム１３０２と、狭い帯域ＭＴＣをもつサブフレーム１３０４とを示す図１３００である。図１３に示されているように、広い帯域動作は、負荷に応じていくつかのサブフレームのみをＭＴＣに割り振らせる必要がある。他のサブフレームは適応制御領域を有し得る。図１３では、サブフレーム１３０２は何らかの適応制御領域長さを有し得、サブフレーム１３０４は、１または２の固定制御チャネル長、またはＭＴＣにシグナリングされるＲＲＣを有することができる。ＭＴＣをもつサブフレームは、１または２のいずれかの固定制御領域を有し得るか、あるいはＭＴＣへのＲＲＣまたはＳＩＢシグナリングによって半静的に変化することができる。一例では、ＣＲＳがＭＴＣのために使用される場合、ＭＴＣデバイスのために割り振られたサブフレームのためにＭＢＳＦＮが使用されるべきではない。
【００５２】
[0076]次に、サブフレーム（ＳＦ）内のＭＴＣユーザのＦＤＭパーティションが説明される。一態様では、図１４に示されているように、ＭＴＣのための複数の狭い帯域が、ＭＴＣユーザが許可されるサブフレーム内に割り振られ得る。図１４は、ＭＴＣダウンリンク帯域幅割振りを示す図１４００である。図１４では、ＭＴＣのための狭い帯域幅１４０５および１４０７が、対応するワイヤレスネットワークの広いシステム帯域幅１４０２内で多重化される。たとえば、狭い帯域幅１４０５および１４０７は、それぞれ、２０ＭＨｚの広いシステム帯域幅１４０２内の１．２５ＭＨｚであり得る。図１４の構成に示されているように、狭い帯域幅１４０５は、ＭＴＣのための狭い帯域制御チャネル９０２と狭い帯域データチャネル９０４とを含む。図１４にさらに示されているように、狭い帯域幅１４０７は、ＭＴＣのための狭い帯域制御チャネル１４１０と狭い帯域データチャネル１４１２とを含む。広いシステム帯域幅１４０２は、ＬＴＥなどにおいて、広いシステム帯域幅１４０２に関係するワイヤレスネットワークのレガシー制御チャネルのために確保された領域１４０６を含む。広いシステム帯域幅１４０２は、レガシーデータチャネルのために確保された領域１４０８をも含む。
【００５３】
[0077]図１５は、ＮＣＴに関連する様々な例示的なｅＰＤＣＣＨ構造を示す図１５００である。図１５に示されるｅＰＤＣＣＨ構造は、サブフレームであり得る、周波数の一部分上の時間の例示的な部分において示されている。たとえば、サブフレーム中の最初のリソースの一部分が、ＰＤＣＣＨ、ＰＣＦＩＣＨ、ＰＨＩＣＨ、および／または同様のチャネルを含むことができる、制御データをレガシーデバイスに通信するためのレガシー制御領域１５０２のために確保され得る。ＬＴＥでは、レガシー制御領域１５０２は、サブフレーム中のいくつか（ｎ個）のＯＦＤＭシンボルとすることができ、ｎは、１と３との間の整数であり得る。ｅＰＤＣＣＨがＮＣＴのために定義されている場合、レガシー制御領域１５０２は（図１０Ａおよび図１０Ｂを参照しながら前に説明したように）存在しないことがあることを諒解されたい。いずれの場合も、残りのリソースはサブフレームのデータ領域１５０４を含むことができる。したがって、レガシーＰＤＣＣＨとは異なり、ＮＣＴのためのｅＰＤＣＣＨはデータ領域１５０４のみを占有することができる。
【００５４】
[0078]図１５では、拡張制御チャネル構造を定義するために５つの代替形態が示されているが、他の代替形態が可能であることを諒解されたい。たとえば、拡張制御チャネル構造は、増加した制御チャネル容量をサポートすること、周波数領域セル間干渉協調（ＩＣＩＣ：inter-cell interference coordination）をサポートすること、制御チャネルリソースの空間再利用の改善を行うこと、ビームフォーミングおよび／またはダイバーシティをサポートすること、ニューキャリアタイプ上で、およびＭＢＳＦＮサブフレームにおいて動作すること、レガシーデバイスと同じキャリア上に共存することなどが可能である。
【００５５】
[0079]代替１  １５０６では、拡張制御チャネル構造は、領域１５０４の第１の部分１５１６上の周波数の少なくとも一部分中の制御チャネル上にダウンリンク許可が割り当てられ、領域１５０４の第２の部分１５１８上の周波数の部分中の制御チャネル上にアップリンク許可が割り当てられるような、リレーＰＤＣＣＨ（Ｒ−ＰＤＣＣＨ）と同様であり得る。代替２  １５０８では、拡張制御チャネル構造は、第１のスロットと第２のスロットの両方にわたる領域１５０４の一部分１５２０上の周波数の一部分中にダウンリンク許可とアップリンク許可とが割り当てられることを可能にする。代替３  １５１０では、拡張制御チャネル構造は、領域１５０４の少なくとも一部分１５２２中でＴＤＭを使用して周波数の一部分上にダウンリンク許可とアップリンク許可とが割り当てられることを可能にする。代替４  １５１２では、拡張制御チャネル構造は、領域１５０４の第１の部分１５２４上の周波数の少なくとも一部分中の制御チャネル上にダウンリンク許可とアップリンク許可とが割り当てられることを可能にし、領域１５０４の第２の部分１５２６上の周波数の部分中の制御チャネル上にアップリンク許可が割り当てられる。代替５  １５１４では、領域１５０４の少なくとも一部分１５２８上にＴＤＭを使用してダウンリンク許可が割り当てられ得、領域１５０４中の一部分１５３０上の周波数の異なる部分中にＦＤＭを使用してアップリンク許可が割り当てられ得る。
【００５６】
[0080]代替形態のうちの１つまたは複数を使用することは、拡張制御チャネルが、従来のレガシー制御チャネル構造と比較して、ダウンリンクおよび／またはアップリンク割当てについて様々な多重化方式を使用したリソースの割当てを可能にすることができることを諒解されたい。
【００５７】
[0081]一態様では、図７を参照すると、ｅＮＢ７０２は、すべてのＭＴＣを送信するために、前に説明された送信モードのうちの単一の送信モードを選択することができる。たとえば、ｅＮＢ７０２は、すべてのＭＴＣデータを送信するために送信ダイバーシティをもつＴＭ２を使用することを決定することができる。別の例では、ｅＮＢ７０２は、ＭＴＣデータのためにビームフォーミングと復調基準信号（ＤＭ−ＲＳ：demodulation reference signal）ベースの復調とをもつＴＭ９を選択することができる。この例では、ｅＮＢ７０２は、通信を復調するためのＤＭ−ＲＳとともに、ＴＭ９を使用して物理ブロードキャストチャネル（ＰＢＣＨ）、ＳＩＢ、およびＰＤＳＣＨ通信を送信することができる。その上、この例では、ｅＮＢ７０２は、ＲＡＣＨ上でアクセスを要求する際に利用するために、定義されたＲＡＣＨシーケンスをＭＴＣ  ＵＥ７０４に送信することができる。この例では、ＭＴＣ  ＵＥ７０４はそのシーケンスを使用することができ、したがって、ｅＮＢ７０２は、（たとえば、ＲＡＣＨプロシージャのメッセージ１中で）ＭＴＣ  ＵＥ７０４から定義されたシーケンスを受信することに基づいて、ＭＴＣ  ＵＥ７０４とのＲＡＣＨプロシージャのためにＴＭ９を選択することができる。
【００５８】
[0082]別の例では、ｅＮＢ７０２は、ＭＴＣを通信するために新しい送信モード（たとえば、送信モード１１）を指定することができる。たとえば、この新しい送信モードは、マスタ情報ブロック（ＭＩＢ：master information block）／ＳＩＢとＲＡＣＨプロシージャとを送信するために空間周波数ブロックコード（ＳＦＢＣ）を利用すると同時に、ＭＴＣにおける他の送信のためにシングルレイヤビームフォーミングを使用することができる。この例では、ｅＮＢ７０２は、ＴＭ２またはＴＭ９に関して上記で説明されたように、切替えなしにＭＴＣのためにこのモードを選択することができる。その上、ｅＮＢ７０２は、ＬＴＥにおけるＤＣＩフォーマット１ａと同じであるか、または新しいＤＣＩフォーマットであり得る、ＭＴＣのための１つのダウンリンク制御情報（ＤＣＩ：downlink control information）フォーマットを使用および広告することができる。
【００５９】
[0083]一態様では、ｅＮＢ７０２は、ＭＴＣ実装形態の複雑さを低減するために、ＭＴＣデータを復調するための単一の基準信号（ＲＳ）を生成することができる。たとえば、ＲＳはＣＲＳであり得る。一構成では、これは、前に説明されたように、ＳＦＢＣ  ＴＭと組み合わせられ得る。ただし、ＣＲＳが使用される場合、ｅＮＢ７０２は、ＭＢＳＦＮを使用することを控えることができる。別の例では、ＲＳはＤＭ−ＲＳであり得、これにより、ＤＭ−ＲＳをサポートするためにＰＢＣＨ／ＳＩＢを再設計することになり得る。さらに、これは、上記で説明されたように、ＴＭ９と組み合わせられ得る。
【００６０】
[0084]ｅＮＢ７０２は、１つまたは複数の論理ＭＴＣ制御チャネル上で送信するためにＭＴＣ制御データを作成することができる。これは、１つまたは複数のＭＩＢ、ＳＩＢ、他のＰＢＣＨ通信、ＲＡＣＨメッセージなどを生成することを含むことができる。さらに、ＭＴＣは、説明されたように、多くの情報として必要としないので、生成されたＭＴＣ制御データは、ワイヤレスネットワークにおいて送信される他の制御データとして異なる構造を利用することができる。たとえば、ＬＴＥでは、ＭＩＢは、一般に、狭い帯域幅がｅＮＢ７０２および対応するＵＥによって知られていることがあるので、ＭＴＣのために必要とされないことがある帯域幅情報、ＰＢＣＨ構造について固定制御領域が仮定される場合、必要とされないことがあるＰＨＩＣＨ、後でシグナリングされ得るシステムフレーム番号（ＳＦＮ：system frame number）およびアンテナ情報などを含む。したがって、ｅＮＢ７０２は、ＭＴＣ  ＵＥ７０４においてシグナリングを節約し、処理を節約し、複雑さを低減するために、そのような情報なしにＭＩＢを生成することができる。ワイヤレスネットワークにおいて使用される値の一部分をもつそのようなＭＩＢは、本明細書では低減ＭＩＢと呼ばれる。
【００６１】
[0085]別の例では、ｅＮＢ７０２は、ＭＴＣ  ＵＥ７０４に通信するために、組合せＭＩＢおよびＳＩＢ（たとえば、ＳＩＢ１と組み合わせられた低減ＭＩＢ）を生成することができる。その上、たとえば、ｅＮＢ７０２は、ＭＩＢまたは組合せＭＩＢ／ＳＩＢの巡回冗長検査（ＣＲＣ：cyclic redundancy check）スクランブリングを使用して、（たとえば、スクランブリングコードを対応するアンテナ情報にマッピングすることに基づいて）アンテナ情報など、低減ＭＩＢから除外された情報を搬送することができる。また別の例では、ｅＮＢ７０２は、制御シグナリングを最小限に抑えるために、次のＳＩＢのためのリソースロケーション（たとえば、シンボルおよび／またはシンボル中のサブキャリア）とＭＣＳとを含む１つまたは複数のＳＩＢを生成することができる。
【００６２】
[0086]いずれの場合も、たとえば、ｅＮＢ７０２は、ＭＩＢ、ＭＩＢ／ＳＩＢなどを復調するための復調基準信号（ＤＭ−ＲＳ）をもつＭＩＢ（たとえば、低減ＭＩＢ）、ＭＩＢ／ＳＩＢ組合せなどを生成することができる。この点について、説明されたように、ｅＮＢ７０２は、（たとえば、復調のためにＣＲＳに基づくＳＦＢＣを使用して送信する代わりに）シングルレイヤビームフォーミングを使用してＤＭ−ＲＳとともにＭＩＢ、ＭＩＢ／ＳＩＢなどを送信することができる。別の例では、ｅＮＢ７０２は、ＤＭ−ＲＳならびに変調およびコーディング方式（ＭＣＳ：modulation and coding scheme）とともに固定ロケーションにおいて送信するために、ＭＩＢ、ＭＩＢ／ＳＩＢなどを生成することができる。ｅＮＢ７０２は、本明細書でさらに説明されるように、この例ではｅＰＤＣＣＨ様構造を使用することができる。
【００６３】
[0087]図１６は、ＭＴＣをレガシーチャネルと多重化するための方法のフローチャート１６００である。本方法はｅＮＢによって実行され得る。ステップ１６０２において、ｅＮＢは、ＭＴＣに関係するデータを通信するために広いシステム帯域幅内の狭い帯域幅を割り振る。たとえば、図１０Ａ、図１０Ｂ、図１１、および図１２に示されているように、ｅＮＢは、広いシステム帯域幅（たとえば、図１０Ａおよび図１０Ｂにおける広い帯域幅１００２）内のＭＴＣのための狭い帯域幅（たとえば、図１０Ａおよび図１０Ｂにおける狭い帯域幅１００３）を割り振り得る。一態様では、図１０Ａおよび図１０Ｂを参照すると、ＭＴＣのための狭い帯域幅１００３は、広いシステム帯域幅中のレガシー制御リソースと重複するように割り振られ得る。別の態様では、図１１を参照すると、狭い帯域幅１１０３は、レガシー制御リソースと隣接するように割り振られ得る。そのような態様では、レガシー制御領域１１０６のサイズはＭＴＣのためのサブフレーム中で制限され得る。別の態様では、図１２を参照すると、狭い帯域幅１２０３はレガシー制御リソースなどから分離され得る。
【００６４】
[0088]ステップ１６０４において、ｅＮＢは、狭い帯域幅内のＭＴＣ  ＵＥのための１つまたは複数のＭＴＣ制御チャネル上で通信するためにＭＴＣ制御データを生成し得る。ＭＴＣ制御データは、本明細書で説明されるように、低減ＭＩＢ、組合せＭＩＢ／ＳＩＢなどとして生成され得る。ＭＴＣ制御データはまた、ＲＡＣＨ情報またはプロシージャ、他のＰＢＣＨ送信またはダウンリンク制御送信などを含むことができる。ＭＴＣ制御データは、ＭＴＣ  ＵＥ実装形態においてシグナリングを節約しおよび／または複雑さを緩和するために生成され得る。
【００６５】
[0089]ステップ１６０６において、ｅＮＢは、広いシステム帯域幅上で１つまたは複数のレガシーチャネルと多重化された１つまたは複数のＭＴＣ制御チャネルを送信し得る。一例では、図１０Ａおよび図１０Ｂを参照すると、ＭＴＣ制御チャネルがレガシーチャネル（たとえば、レガシー制御チャネル）と重複する場合、いずれのチャネルが選好されるかに応じて、ＭＴＣ制御チャネルはレガシーチャネル中でパンクチャされ得、および／またはその逆も同様である。たとえば、図１０Ａに示されているように、レガシー制御チャネル１００６は、ＭＴＣ制御チャネルの通信がレガシー制御チャネル１００６よりも優先することを保証するために、ＭＴＣのための制御チャネル９０２でパンクチャされ得る。別の例として、図１０Ｂに示されているように、ＭＴＣのための制御チャネル９０２は、レガシー制御チャネル１００６の通信がＭＴＣ制御チャネル９０２よりも優先することを保証するために、レガシー制御チャネル１００６でパンクチャされ得る。他の例では、ＭＴＣ制御チャネルは、可能な場合、レガシーチャネルとの競合を回避するために多重化され得る。たとえば、図１１を参照すると、ｅＮＢは、広いシステム帯域幅中の１つまたは複数のＭＴＣ制御チャネル９０２のうちの少なくとも１つ、または少なくとも１つのＭＴＣ制御チャネルと重複する１つまたは複数のレガシーチャネル１１０６のうちの少なくとも１つを時間においてシフトし得る。別の例として、ｅＮＢは、広いシステム帯域幅中の１つまたは複数のＭＴＣ制御チャネルのうちの少なくとも１つ、または少なくとも１つのＭＴＣ制御チャネルと重複する１つまたは複数のレガシーチャネルのうちの少なくとも１つを周波数においてシフトし得る。
【００６６】
[0090]たとえば、ＭＴＣ  ＵＥ７０４は、広いシステム帯域幅上で１つまたは複数のレガシーチャネルと多重化された１つまたは複数のＭＴＣ制御チャネルを受信し得る。ＭＴＣ  ＵＥ７０４は、ＭＴＣ制御チャネルを復号し、場合によっては、レガシーチャネルを復号することを控え得る。ＭＴＣ  ＵＥ７０４は、後続の通信のために復号されたＭＴＣ制御チャネルからの情報を使用し得る。別の実施形態では、非ＭＴＣ  ＵＥ７０６などの装置は、広いシステム帯域幅上で１つまたは複数のレガシーチャネルと多重化された１つまたは複数のＭＴＣ制御チャネルを受信し得る。非ＭＴＣ  ＵＥ７０６は、レガシーチャネルを復号し、場合によっては、ＭＴＣ制御チャネルを復号することを控え得る。
【００６７】
[0091]図１７Ａおよび図１７Ｂは、ワイヤレスネットワークにおいてＭＴＣを行うための方法のフローチャート１７００である。本方法はｅＮＢによって実行され得る。ステップ１７０２において、ｅＮＢは、ＭＴＣに関係するデータを通信するために広いシステム帯域幅内の狭い帯域幅を割り振る。たとえば、図１０Ａ、図１０Ｂ、図１１、および図１２に示されているように、ｅＮＢは、広いシステム帯域幅（たとえば、図１０Ａおよび図１０Ｂにおける広い帯域幅１００２）内のＭＴＣのための狭い帯域幅（たとえば、図１０Ａおよび図１０Ｂにおける狭い帯域幅１００３）を割り振り得る。一態様では、図１０Ａおよび図１０Ｂを参照すると、ＭＴＣのための狭い帯域幅１００３は、広いシステム帯域幅中のレガシー制御リソースと重複するように割り振られ得る。別の態様では、図１１を参照すると、狭い帯域幅１１０３は、レガシー制御リソースと隣接するように割り振られ得る。そのような態様では、レガシー制御領域１１０６のサイズはＭＴＣのためのサブフレーム中で制限され得る。別の態様では、図１２を参照すると、狭い帯域幅１２０３はレガシー制御リソースなどから分離され得る。
【００６８】
[0092]ステップ１７０４において、ｅＮＢは、狭い帯域幅内のＭＴＣ  ＵＥのための１つまたは複数のＭＴＣ制御チャネル上で通信するためにＭＴＣ制御データを生成し得る。ＭＴＣ制御データは、本明細書で説明されるように、低減ＭＩＢ、組合せＭＩＢ／ＳＩＢなどとして生成され得る。ＭＴＣ制御データはまた、ＲＡＣＨ情報またはプロシージャ、他のＰＢＣＨ送信またはダウンリンク制御送信などを含むことができる。ＭＴＣ制御データは、ＭＴＣ  ＵＥ実装形態においてシグナリングを節約しおよび／または複雑さを緩和するために生成され得る。
【００６９】
[0093]ステップ１７０６において、ｅＮＢは、ＭＴＣを送信するための現在サブフレームを決定し得る。
【００７０】
[0094]ステップ１７０８において、ｅＮＢは、広いシステム帯域幅のレガシー制御領域を、ＭＴＣを送信するための現在サブフレームの決定に基づくシンボルに先行するいくつかのシンボルに制限し得る。ＭＴＣ制御チャネルは広いシステム帯域幅のレガシーデータ領域中のシンボルにわたり得、ｅＮＢは、ＭＴＣを送信するための現在サブフレームを決定し得る。
【００７１】
[0095]ステップ１７１０において、ｅＮＢは、広いシステム帯域幅中の１つまたは複数のレガシーチャネルのうちの少なくとも１つを、１つまたは複数のＭＴＣ制御チャネルのうちの少なくとも１つでパンクチャし得、ここで、少なくとも１つのレガシーチャネルは、広いシステム帯域幅中の少なくとも１つのＭＴＣ制御チャネルとシンボルを重複するレガシー制御チャネルである。たとえば、図１０Ａに示されているように、レガシー制御チャネル１００６は、ＭＴＣ制御チャネルの通信がレガシー制御チャネル１００６よりも優先することを保証するために、ＭＴＣのための制御チャネル９０２でパンクチャされ得る。
【００７２】
[0096]ステップ１７１２において、ｅＮＢは、広いシステム帯域幅中の１つまたは複数のＭＴＣ制御チャネルのうちの少なくとも１つを、１つまたは複数のレガシーチャネルのうちの少なくとも１つでパンクチャし得、ここで、少なくとも１つのレガシーチャネルは、広いシステム帯域幅中の少なくとも１つのＭＴＣ制御チャネルとシンボルを重複するレガシー制御チャネルである。たとえば、図１０Ｂに示されているように、ＭＴＣのための制御チャネル９０２は、レガシー制御チャネル１００６の通信がＭＴＣ制御チャネル９０２よりも優先することを保証するために、レガシー制御チャネル１００６でパンクチャされ得る。
【００７３】
[0097]ステップ１７１４において、ｅＮＢは、広いシステム帯域幅中の１つまたは複数のＭＴＣ制御チャネルのうちの少なくとも１つ、または少なくとも１つのＭＴＣ制御チャネルと重複する１つまたは複数のレガシーチャネルのうちの少なくとも１つを周波数においてシフトし得る。
【００７４】
[0098]ステップ１７１６において、ｅＮＢは、広いシステム帯域幅中の１つまたは複数のＭＴＣ制御チャネルのうちの少なくとも１つ、または少なくとも１つのＭＴＣ制御チャネルと重複する１つまたは複数のレガシーチャネルのうちの少なくとも１つを時間においてシフトし得る。たとえば、図１１を参照すると、ｅＮＢは、広いシステム帯域幅中の１つまたは複数のＭＴＣ制御チャネル９０２のうちの少なくとも１つ、または少なくとも１つのＭＴＣ制御チャネルと重複する１つまたは複数のレガシーチャネル１１０６のうちの少なくとも１つを時間においてシフトし得る。
【００７５】
[0099]ステップにおいて、１７１８、ｅＮＢは、システム情報ブロック中で非ＭＴＣ  ＵＥに対する禁止された周波数帯域幅を示し得る。たとえば、ｅＮＢは、１つまたは複数のＭＴＣ制御チャネルのうちの少なくとも１つ上のシステム情報ブロック中で非ＭＴＣ  ＵＥに対する禁止された周波数帯域幅を示し得る。
【００７６】
[00100]ステップ１７２０において、ｅＮＢはシステム情報ブロック中にＭＴＣインジケータビットを含め得る。一態様では、ＭＴＣインジケータビットは、非ＭＴＣ  ＵＥに対する禁止された周波数帯域幅を示し得る。一例では、ｅＮＢは、１つまたは複数のＭＴＣ制御チャネルのうちの少なくとも１つ上のシステム情報ブロック中にＭＴＣインジケータビットを含め得る。
【００７７】
[00101]ステップ１７２２において、ｅＮＢは、広いシステム帯域幅上で１つまたは複数のレガシーチャネルと多重化された１つまたは複数のＭＴＣ制御チャネルを送信し得る。
【００７８】
[00102]たとえば、ＭＴＣ  ＵＥ７０４は、広いシステム帯域幅上で１つまたは複数のレガシーチャネルと多重化された１つまたは複数のＭＴＣ制御チャネルを受信し得る。ＭＴＣ  ＵＥ７０４は、ＭＴＣ制御チャネルを復号し、場合によっては、レガシーチャネルを復号することを控え得る。ＭＴＣ  ＵＥ７０４は、後続の通信のために復号されたＭＴＣ制御チャネルからの情報を使用し得る。別の実施形態では、非ＭＴＣ  ＵＥ７０６などの装置は、広いシステム帯域幅上で１つまたは複数のレガシーチャネルと多重化された１つまたは複数のＭＴＣ制御チャネルを受信し得る。非ＭＴＣ  ＵＥ７０６は、レガシーチャネルを復号し、場合によっては、ＭＴＣ制御チャネルを復号することを控え得る。
【００７９】
[00103]図１８は、ワイヤレスネットワークにおいてマシンタイプ通信（ＭＴＣ）を行うための方法のフローチャート１８００である。本方法はｅＮＢによって実行され得る。ステップ１８０２において、ｅＮＢは、ワイヤレスネットワークにおいて通信するために複数の送信モードをサポートする。たとえば、送信モードは、前に説明されたＬＴＥの１０個の送信モードの少なくとも一部分、上記で説明されたＳＦＢＣとビームフォーミングとを組み合わせる新しい送信モードなどを含むことができる。
【００８０】
[00104]ステップ１８０４において、ｅＮＢは、ワイヤレスネットワーク中のすべてのＭＴＣのために複数の送信モードからの単一の送信モードを利用する。送信モードは、ＴＭ２、ＴＭ９、または、いくつかの制御チャネル（たとえば、ＭＩＢ／ＳＩＢおよびＲＡＣＨプロシージャ）のためにＳＦＢＣをサポートすると同時に、他のチャネルのためにシングルレイヤビームフォーミングをサポートする組合せ送信モードであり得る。
【００８１】
[00105]たとえば、図７を参照すると、ｅＮＢ７０２はＭＴＣ  ＵＥ７０４に送信を送り得る。ＭＴＣ  ＵＥ７０４は、ワイヤレスネットワーク中のすべてのＭＴＣのためにｅＮＢ７０２によって利用される複数の送信モードのうちの１つに従って送信を受信し得る。受信された送信からの情報は後続の通信のために使用される。単一の送信モードは、ＴＭ２、ＴＭ９、または、いくつかの制御チャネル（たとえば、ＭＩＢ／ＳＩＢおよびＲＡＣＨプロシージャ）のためにＳＦＢＣをサポートすると同時に、他のチャネルのためにシングルレイヤビームフォーミングをサポートする組合せ送信モードであり得る。一実施形態では、ＭＴＣ  ＵＥ７０４は、ワイヤレスネットワーク中のすべてのＭＴＣのためにｅＮＢ７０２によって利用される１つの送信モード以外の送信モードをサポートしない。
【００８２】
[00106]図１９は、ワイヤレスネットワークにおいてＭＴＣを行うための方法のフローチャート１９００である。本方法はｅＮＢによって実行され得る。
【００８３】
[00107]ステップ１９０２において、ｅＮＢは、ＭＴＣのために最適化された低減ＭＩＢを生成する。この低減ＭＩＢは、対応するワイヤレスネットワークにおけるＭＩＢのデータの一部分を含むことができる。低減ＭＩＢは、一例では、ＳＩＢと組み合わせられ得る。低減ＳＩＢは、後続のＳＩＢの位置を特定し、復調するための情報をさらに含むことができる。たとえば、低減ＭＩＢは、次のＳＩＢのリソースロケーションと変調およびコーディング方式とを示すＳＩＢを含み得る。
【００８４】
[00108]ステップ１９０４において、ｅＮＢは、割り振られたＭＴＣリソース上で低減ＭＩＢを送信する。一態様では、ＭＴＣリソースはＭＴＣ制御リソースであり得る。これは、ＭＩＢの復調を可能にするために、ＭＩＢとともに（またはさもなければＭＩＢに関連する）ＤＭ−ＲＳを送信することを含むことができる。一態様では、ＭＣＳも含まれ得る。たとえば、ｅＮＢは、固定ロケーションにおいて低減ＭＩＢを送信し得、ＭＩＢは復調基準信号とＭＣＳとを含む。一例では、ＭＣＳは固定であり得る。その上、ＣＲＣまたはＭＩＢ送信の他の態様が、説明されたように、アンテナ情報など、さらなる情報を示すために変更され得る。
【００８５】
[00109]たとえば、図７を参照すると、ｅＮＢ７０２は低減ＭＩＢを送信し得、ＭＴＣ
ＵＥ７０４は低減ＭＩＢを受信し得る。ＭＴＣ  ＵＥ７０４は、低減ＭＩＢを復号し、後続の通信のために低減ＭＩＢからの情報を使用し得る。
【００８６】
[00110]図２０は、ワイヤレスネットワークにおいてＭＴＣを行うための方法のフローチャート２０００である。本方法は、ＭＴＣ  ＵＥまたは非ＭＴＣ  ＵＥによって実行され得る。
【００８７】
[00111]ステップ２００２において、ＭＴＣ  ＵＥは、ｅＮＢからＭＴＣ情報を含むＳＩＢを受信する。たとえば、ＭＴＣ情報は、ＭＴＣ通信または非ＭＴＣ通信から許可または禁止される周波数を含むことができる。別の例では、ＭＴＣ情報は、関係する制御データがＭＴＣに関係するかどうかを指定するビットを含むことができる。
【００８８】
[00112]ステップ２００４において、ＭＴＣ  ＵＥは、ＭＴＣ情報と意図されたシステムタイプとに部分的に基づいて、ｅＮＢにアクセスすべきかどうかを決定する。たとえば、ＭＴＣ情報が許可または禁止された周波数を指定する場合、周波数が、アクセスすることが意図されたシステムタイプに対応するかどうかが決定され得、したがって、周波数がシステムタイプに対して許可されるかまたは禁止されない場合、ｅＮＢに対してアクセス試行が行われ得る。同様に、ＭＴＣ情報がＭＴＣを示すビットである場合、ＭＴＣが意図されたシステムタイプであるならば、ｅＮＢに対してアクセス試行が行われ得る。
【００８９】
[00113]たとえば、図７を参照すると、ｅＮＢ７０２は、ＭＴＣ情報を含むＳＩＢをＭＴＣ  ＵＥ７０４に通信することができる。ＭＴＣ  ＵＥ７０４は、次いで、ＭＴＣ情報と意図されたシステムタイプとに部分的に基づいて、ｅＮＢ７０２にアクセスすべきかどうかを決定し得る。
【００９０】
[00114]図２１は、例示的な装置２１０２中の異なるモジュール／手段／構成要素間のデータフローを示す概念データフロー図２１００である。装置２１０２は、ｅＮＢなどのノードであり得る。本装置は、ＭＴＣに関係するデータを通信するために広いシステム帯域幅内の狭い帯域幅を割り振る割振りモジュール２１０３と、狭い帯域幅内のＭＴＣ  ＵＥのための１つまたは複数のＭＴＣ制御チャネル上で通信するためにＭＴＣ制御データを生成するＭＴＣ制御データ生成モジュール２１０４と、広いシステム帯域幅中の１つまたは複数のレガシーチャネルのうちの少なくとも１つを、１つまたは複数のＭＴＣ制御チャネルのうちの少なくとも１つでパンクチャし、広いシステム帯域幅中の１つまたは複数のＭＴＣ制御チャネルのうちの少なくとも１つを、１つまたは複数のレガシーチャネルのうちの少なくとも１つでパンクチャし、広いシステム帯域幅中の１つまたは複数のＭＴＣ制御チャネルのうちの少なくとも１つ、または少なくとも１つのＭＴＣ制御チャネルと重複する１つまたは複数のレガシーチャネルのうちの少なくとも１つを周波数においてシフトし、広いシステム帯域幅中の１つまたは複数のＭＴＣ制御チャネルのうちの少なくとも１つ、または少なくとも１つのＭＴＣ制御チャネルと重複する１つまたは複数のレガシーチャネルのうちの少なくとも１つを時間においてシフトする多重化モジュール２１０６とを含む。本装置は、（たとえば、１つまたは複数の論理チャネル中で）ＭＴＣ制御データまたは他のデータを含む信号を送信し、広いシステム帯域幅上で１つまたは複数のレガシーチャネルと多重化された１つまたは複数のＭＴＣ制御チャネルを送信し、ＭＴＣを送信するための現在サブフレームを決定する送信モジュール２１０８をさらに含む。本装置は、１つまたは複数のＭＴＣ制御チャネルのうちの少なくとも１つ上のシステム情報ブロック中で非ＭＴＣ  ＵＥに対する禁止された周波数帯域幅を示すことによって、および／または１つまたは複数のＭＴＣ制御チャネルのうちの少なくとも１つ上のシステム情報ブロック中にＭＴＣインジケータビットを含めることによって、ｅＮＢによって動作される１つまたは複数のシステムへのアクセスを制御するアクセスモジュール２１１０と、ＭＴＣデータを送信するためにワイヤレスネットワークにおいて定義された送信モードを選択し、またはさもなければ利用する送信モード決定モジュール２１１２とをさらに含む。一例では、送信モード決定モジュール２１１２は、すべてのＭＴＣを送信するために、前に説明された送信モードから単一の送信モードを選択することができる。別の例では、送信モード決定モジュール２１１２は、ＭＴＣデータのためにビームフォーミングとＤＭ−ＲＳベースの復調とをもつＴＭ９を選択することができる。別の例では、送信モード決定モジュール２１１２は、ＭＴＣを通信するために新しい送信モード（たとえば、送信モード１１）を指定することができる。
【００９１】
[00115]本装置は、図１６、図１７Ａ、図１７Ｂ、図１８、および図１９の上述のフローチャート中のアルゴリズムのステップの各々を実行する追加のモジュールを含み得る。したがって、図１６、図１７Ａ、図１７Ｂ、図１８、および図１９の上述のフローチャート中の各ステップは１つのモジュールによって実行され得、本装置は、それらのモジュールのうちの１つまたは複数を含み得る。それらのモジュールは、述べられたプロセス／アルゴリズムを行うために特に構成された１つまたは複数のハードウェア構成要素であるか、述べられたプロセス／アルゴリズムを実行するために構成されたプロセッサによって実装されるか、プロセッサによる実装のためにコンピュータ可読媒体内に記憶されるか、またはそれらの何らかの組合せであり得る。
【００９２】
[00116]次に、装置２１０２に関して例示的な実装形態が説明される。一例によれば、送信モジュール２１０８は、ＭＴＣに専用のスタンドアロンリソース中でＭＴＣデータを送信することができる。スタンドアロンリソースは、ＬＴＥにおける５ＭＨｚまたは１．４ＭＨｚなど、そのような送信のためのワイヤレスネットワーク中の既存のサポートされたリソースに関係することができる。しかしながら、いくつかの例では、多重化モジュール２１０６が、図１０Ａ、図１０Ｂ、図１１、および図１２で説明されたように、広いシステム帯域幅の狭い帯域幅部分中でＭＴＣデータを多重化することができる。多重化モジュール２１０６は、オーバーロード制御チャネル設計を使用して多重化を達成することができる。たとえば、多重化モジュール２１０６は、広いシステム帯域幅に関係するワイヤレスネットワークの制御領域が１つまたは複数のシンボル上でシステム帯域全体を占有する場合、制御領域中で（たとえば、ＭＴＣ制御データ生成モジュール２１０４からの）取得されたＭＴＣ制御データを多重化することができる。
【００９３】
[00117]多重化されたＭＴＣ制御データが領域中の他の制御データと衝突する場合、一例では、多重化モジュール２１０６は、制御領域中のＭＴＣ制御データの送信を保証するために、そのＭＴＣ制御データをパンクチャするか、または、図１０Ａで説明されたように、広いシステム帯域幅の制御領域と重複するＭＴＣ領域中の他の制御データをパンクチャすることができる。さらに、パンクチャリングは、異なるサブフレーム上で異なり得、および／またはチャネルごとに実行され得ることを諒解されたい。その上、一例では、重複領域は、レガシー制御データとＭＴＣ制御データとのための制御領域を含むことができる。
【００９４】
[00118]多重化されたＭＴＣ制御データが領域中の他の制御データと衝突する他の例では、多重化モジュール２１０６は、パンクチャリングなしに両方の制御データチャネルを送信することができる。この例では、ＭＴＣ  ＵＥ７０４などのＵＥは、ＭＴＣ制御データを他の制御データと区別するためにおよび／またはその逆のために、干渉消去または他の技法を実行することができる。たとえば、送信モジュール２１０８は、制御データが衝突する重複領域中のＭＴＣ制御データ（たとえば、狭い帯域幅制御）と他の制御データ（たとえば、広いシステム帯域幅制御）とのために異なる送信電力を設定することができる。たとえば、送信モジュール２１０８は、制御データのそれぞれの優先度に基づいて、そのような送信電力を決定することができる。これは、静的に、半静的に、動的になど行われ得る。制御データが衝突する追加または代替の例では、装置２１０２は、以下でさらに詳細に説明されるように、ＭＴＣ制御データと他の制御データとを２つの別個のシステムとして動作させることができ、ＭＴＣ  ＵＥ７０４などのＵＥが一方または他方のシステムにアクセスすることを禁止することができる。いずれの場合も、多重化モジュール２１０６は、シフトなしに完全にオーバーロードすることによって、ＭＴＣ制御データを他の制御データと多重化することができる。この例では、多重化モジュール２１０６は、ＰＤＣＣＨなど、他の制御チャネルの両方のバージョンを送信しながら、１次同期信号（ＰＳＳ）、２次同期信号（ＳＳＳ）、ＰＢＣＨなど、ＭＴＣ制御データのいくつかのチャネルを、他の制御データの対応するチャネルなしに多重化することができ、その逆も同様である。ただし、両方のチャネルのための物理的ハイブリッド自動再送／要求（ＨＡＲＱ）インジケータチャネル（ＰＨＩＣＨ）インジケータの１つのセット、またはＰＨＩＣＨインジケータの２つのセットを使用して、ＭＴＣ制御チャネルと他の制御チャネルの両方のＰＢＣＨを送信することが可能であり得る。さらに、この例では、送信モジュール２１０８は、ＭＴＣ制御チャネルと他の制御チャネルの両方のＰＢＣＨのために同じアンテナ構成を使用するか、またはＭＴＣ制御チャネルのためのアンテナ構成を別個にシグナリングするために、装置２１０２のアンテナ（図示せず）を構成することができる。他の例では、多重化モジュール２１０６は、制御データの少なくとも一部分が衝突しないように周波数においてまたは時間的にシフトすることによって、ＭＴＣ制御データを他の制御データと多重化することができる（たとえば、ＰＳＳ、ＳＳＳ、ＰＢＣＨなど）。
【００９５】
[00119]装置２１０２がＭＴＣ制御データと他の制御データとを２つの別個のシステムとして動作させる場合、上記で説明されたように、アクセスモジュール２１１０は、ＭＴＣ  ＵＥ７０４または非ＭＴＣ  ＵＥ７０６など、１つまたは複数のＵＥに適切なシステムを示すための１つまたは複数の機構を与えることができる。一例では、アクセスモジュール２１１０は、ＵＥまたは要求された通信のタイプに基づいて、ＵＥがある帯域幅を使用することを禁止することができる。たとえば、ＭＴＣ  ＵＥ７０４は装置２１０２に接続確立を要求することができ、アクセスモジュール２１１０は、関連する帯域幅を使用したアクセスをＭＴＣ  ＵＥ７０４に許可すべきかどうかを決定することができる。たとえば、要求が、ＭＴＣのために利用されるよりも大きい帯域幅に関係する場合（たとえば、装置が１．４ＭＨｚのＭＴＣ帯域幅を使用する場合、２０ＭＨｚの要求）、アクセスモジュール２１１０は、ＭＴＣ  ＵＥ７０４に対してアクセスを拒否することができる。同様に、非ＭＴＣ  ＵＥ７０６が１．４ＭＨｚ帯域幅を要求する場合、アクセスモジュール２１１０は、非ＭＴＣ  ＵＥ７０６が、要求された帯域幅を使用して装置２１０２にアクセスすることを禁止することができる。
【００９６】
[00120]一例では、アクセスモジュール２１１０は、（たとえば、ＭＴＣのためのＳＩＢを生成するためにＭＴＣ制御データ生成モジュール２１０４を使用して、または他の非ＭＴＣ制御チャネルのためのＳＩＢを生成するために他のモジュールを使用して）所与のシステムのためにブロードキャストされるＳＩＢ上で禁止情報を示すことができる。したがって、たとえば、ＭＴＣ  ＵＥ７０４および非ＭＴＣ  ＵＥ７０６は、いくつかの帯域幅がＭＴＣに対して許可または禁止されることを示すことができる、ＭＴＣに関係するＳＩＢを受信することができる。したがって、ＭＴＣ  ＵＥ７０４のアクセス決定モジュール（たとえば、図２３における決定モジュール２３０６）および非ＭＴＣ  ＵＥ７０６のアクセス決定モジュールは、ＳＩＢを取得し、要求された帯域幅が所与のシステムに対して許可されるかどうかを決定することができ、ＭＴＣ  ＵＥ７０４および非ＭＴＣ  ＵＥ７０６は、ＳＩＢ情報に基づいて、システムにアクセスすべきかどうかを決定することができる。同様に、ＭＴＣ  ＵＥ７０４および非ＭＴＣ  ＵＥ７０６は、他の制御チャネルに関係するＳＩＢを受信することができ、示された禁止または許可帯域幅に基づいて、関係するシステムにアクセスすべきかどうかを同様に決定することができる。
【００９７】
[00121]装置２１０２がＭＴＣ制御データと他の制御データとを２つの別個のシステムとして動作させる別の例では、アクセスモジュール２１１０は、所与のシステムがＭＴＣであるかどうかを示すビットをシグナリングすることができ、ビットはＰＢＣＨまたは他の制御チャネル中でシグナリングされ得る。したがって、ＰＢＣＨを受信すると、ＭＴＣ
ＵＥ７０４または非ＭＴＣ  ＵＥ７０６のアクセス決定モジュールは、ビットが設定されているかどうかと、ＭＴＣ  ＵＥ７０４または非ＭＴＣ  ＵＥ７０６が、それぞれ、ビットによって示されたシステムにアクセスしようとするかどうかとを決定することができる。ビットが、意図されたシステムタイプと矛盾する場合、ＭＴＣ  ＵＥ７０４のアクセス決定モジュールまたは非ＭＴＣ  ＵＥ７０６のアクセス決定モジュールは、アクセスを試みないことを決定することができる。非ＭＴＣ  ＵＥ７０６は、ビットを使用しないか、またはアクセス決定モジュールを有しないことがあるが、たとえば、両方のシステムへのアクセスを要求し、許可されるどちらのシステムでも使用し得ることを諒解されたい。その上、一例では、多重化モジュール２１０６が、ＵＥが１．４ＭＨｚに入ることを回避するために、各システムのためのＰＢＣＨまたはＳＩＢを多重化する場合、ＭＴＣ  ＵＥ７０４のアクセス決定モジュールは、ＭＴＣ  ＵＥ７０４が１．４ＭＨｚを使用するので、ＳＩＢ中で示された禁止を無視することができる（または、そもそもアクセス決定モジュールを含まないことがある）が、非ＭＴＣ  ＵＥ７０６のアクセス決定モジュールは、ＳＩＢ中で示された禁止のために、装置２１０２にアクセスしないことを決定し得る。ＳＩＢでは、たとえば、ＭＴＣのための帯域幅または禁止された帯域幅指示の２つの段階があり得る。第１のＳＩＢはすべてのＵＥのためものであり得、ＭＴＣ  ＵＥ７０４は、このＳＩＢ中の禁止情報を無視することができ、ＭＴＣが禁止されるかどうかを決定するために、ＭＴＣに関係するＳＩＢを取得することができる。
【００９８】
[00122]上記のことは、通常システム（たとえば、広いシステム帯域幅）とＭＴＣシステム（たとえば、狭い帯域幅）を一緒に動作させるための構成に適用され得るが、同様に、レガシーキャリアタイプ動作とニューキャリアタイプを一緒に動作させることにも適用され得ることを諒解されたい。
【００９９】
[00123]別の例では、広いシステム帯域幅において定義された制御領域が１つまたは複数のシンボル中のシステム帯域全体を占有する場合、多重化モジュール２１０６は、制御領域の外部でＭＴＣ制御データを多重化することができる。たとえば、ワイヤレスネットワークのための制御領域がシンボル０〜Ｎを占有し、Ｎが正の整数である場合、多重化モジュール２１０６は、図１１に示されているように、シンボルＮ＋１において開始するＭＴＣ制御データ（および／または他のデータ）を多重化することができる。いくつかの例では、ＭＴＣが行われるサブフレームについて、多重化モジュール２１０６は、制御領域中の最後のシンボルに続くシンボルであるシンボルＮ＋１において開始することによって引き起こされるＭＴＣへの影響を緩和するために、ワイヤレスネットワークのための制御領域を（たとえば、１つまたは２つのシンボルに）制限することができる。
【０１００】
[00124]さらに、たとえば、装置２１０２は、被サービスＭＴＣ  ＵＥの数、被サービス非ＭＴＣ  ＵＥの数と比較した被サービスＭＴＣ  ＵＥの数などに応じて、いくつかのサブフレーム（たとえば、Ｍ個のサブフレームごとに１つのサブフレーム、ただし、Ｍは正の整数である）中でのみＭＴＣデータを送信することができることを諒解されたい。他のサブフレームは、たとえば、ＬＴＥにおいて定義された適応制御領域を使用することができる。その上、たとえば、ＭＴＣのためのサブフレームの数は、ＭＴＣ  ＵＥの数の変化に基づいて変更され得る。ＭＴＣのためのサブフレームでは、レガシー制御領域のために確保されるシンボルの数は、固定である（たとえば、装置２１０２およびＭＴＣ  ＵＥ７０４においてハードコーディングまたは構成される）、装置２１０２からＭＴＣ  ＵＥ７０４にシグナリングされる、などであり得る。さらに、ＭＴＣのために使用されるサブフレームは、一例では、装置２１０２からＭＴＣ  ＵＥ７０４にシグナリングされ得る。
【０１０１】
[00125]また別の例では、広いシステム帯域幅において定義された制御領域がいずれのシンボル上でも周波数帯域全体を占有しない場合、多重化モジュール２１０６は、サブフレーム上の帯域幅の別の部分中でＭＴＣ制御データを多重化することができる。したがって、広いシステム帯域幅の制御領域との衝突は、図１２に示されているように回避され得る。
【０１０２】
[00126]その上、広いシステム帯域幅に関係するワイヤレスネットワークは、データを送信する際に利用するための複数の送信モードを提供することができ、一例では、送信モード決定モジュール２１１２は、ＭＴＣデータを送信するために送信モジュール２１０８において利用すべき利用可能なモードのうちの１つを決定することができる。たとえば、ＭＴＣ  ＵＥ７０４についてのデータレート要件が限られているので、送信モード決定モジュール２１１２は、空間多重化のサポートなしのＴＭに選択を限定することができる。
【０１０３】
[00127]図２２は、処理システム２２１４を採用する装置２１０２’のためのハードウェア実装形態の一例を示す図２２００である。処理システム２２１４は、バス２２２４によって概略的に表されるバスアーキテクチャを用いて実装され得る。バス２２２４は、処理システム２２１４の特定の適用例および全体的な設計制約に応じて、任意の数の相互接続バスおよびブリッジを含み得る。バス２２２４は、プロセッサ２２０４、モジュール２１０３、２１０４、２１０６、２１０８、２１１０、および２１１２、ならびにコンピュータ可読媒体２２０６によって表される、１つまたは複数のプロセッサおよび／またはハードウェアモジュールを含む様々な回路を互いにリンクする。バス２２２４はまた、タイミングソース、周辺機器、電圧調整器、および電力管理回路など、様々な他の回路をリンクし得るが、これらの回路は当技術分野においてよく知られており、したがって、これ以上説明しない。
【０１０４】
[00128]処理システム２２１４はトランシーバ２２１０に結合され得る。トランシーバ２２１０は、１つまたは複数のアンテナ２２２０に結合される。トランシーバ２２１０は、伝送媒体を介して様々な他の装置と通信するための手段を与える。トランシーバ２２１０は、１つまたは複数のアンテナ２２２０から信号を受信し、受信された信号から情報を抽出し、抽出された情報を処理システム２２１４に与える。さらに、トランシーバ２２１０は、処理システム２２１４、特に送信モジュール２１０８から情報を受信し、受信された情報に基づいて、１つまたは複数のアンテナ２２２０に適用されるべき信号を生成する。処理システム２２１４は、コンピュータ可読媒体２２０６に結合されたプロセッサ２２０４を含む。プロセッサ２２０４は、コンピュータ可読媒体２２０６に記憶されたソフトウェアの実行を含む一般的な処理を担当する。ソフトウェアは、プロセッサ２２０４によって実行されたとき、処理システム２２１４に、特定の装置のための上記で説明された様々な機能を実行させる。コンピュータ可読媒体２２０６はまた、ソフトウェアを実行するときにプロセッサ２２０４によって操作されるデータを記憶するために使用され得る。処理システムは、モジュール２１０３、２１０４、２１０６、２１０８、２１１０、および２１１２のうちの少なくとも１つをさらに含む。それらのモジュールは、プロセッサ２２０４中で動作するか、コンピュータ可読媒体２２０６中に常駐する／記憶されたソフトウェアモジュールであるか、プロセッサ２２０４に結合された１つまたは複数のハードウェアモジュールであるか、またはそれらの何らかの組合せであり得る。処理システム２２１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【０１０５】
[00129]一構成では、ワイヤレス通信のための装置２１０２／２１０２’は、ＭＴＣに関係するデータを通信するために広いシステム帯域幅内の狭い帯域幅を割り振るための手段と、狭い帯域幅内のＭＴＣ  ＵＥのための１つまたは複数のＭＴＣ制御チャネル上で通信するためにＭＴＣ制御データを生成するための手段と、広いシステム帯域幅上で１つまたは複数のレガシーチャネルと多重化された１つまたは複数のＭＴＣ制御チャネルを送信するための手段と、広いシステム帯域幅中の１つまたは複数のレガシーチャネルのうちの少なくとも１つを、１つまたは複数のＭＴＣ制御チャネルのうちの少なくとも１つでパンクチャするための手段と、広いシステム帯域幅中の１つまたは複数のＭＴＣ制御チャネルのうちの少なくとも１つを、１つまたは複数のレガシーチャネルのうちの少なくとも１つでパンクチャするための手段と、広いシステム帯域幅中の１つまたは複数のＭＴＣ制御チャネルのうちの少なくとも１つ、または少なくとも１つのＭＴＣ制御チャネルと重複する１つまたは複数のレガシーチャネルのうちの少なくとも１つを周波数においてシフトするための手段と、広いシステム帯域幅中の１つまたは複数のＭＴＣ制御チャネルのうちの少なくとも１つ、または少なくとも１つのＭＴＣ制御チャネルと重複する１つまたは複数のレガシーチャネルのうちの少なくとも１つを時間においてシフトするための手段と、１つまたは複数のＭＴＣ制御チャネルのうちの少なくとも１つ上のシステム情報ブロック中で非ＭＴＣ  ＵＥに対する禁止された周波数帯域幅を示すための手段と、１つまたは複数のＭＴＣ制御チャネルのうちの少なくとも１つ上のシステム情報ブロック中にＭＴＣインジケータビットを含めるための手段と、ＭＴＣを送信するための現在サブフレームを決定するための手段と、広いシステム帯域幅のレガシー制御領域を、ＭＴＣを送信するための現在サブフレームを決定することに基づくシンボルに先行するいくつかのシンボルに制限するための手段と、ワイヤレスネットワークにおいて通信するために複数の送信モードをサポートするための手段と、ワイヤレスネットワーク中のすべてのＭＴＣのために複数の送信モードからの単一の送信モードを利用するための手段と、ＭＴＣのために最適化されたマスタ情報ブロック（ＭＩＢ）を生成するための手段と、割り振られたＭＴＣ制御リソース上で低減ＭＩＢを送信するための手段とを含む。上述の手段は、上述の手段によって具陳された機能を実行するために構成された、装置２１０２、および／または装置２１０２’の処理システム２２１４の上述のモジュールのうちの１つまたは複数であり得る。上記で説明されたように、処理システム２２１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するために構成されたＴＸプロセッサ６１６、ＲＸプロセッサ６７０、およびコントローラ／プロセッサ６７５であり得る。
【０１０６】
[00130]図２３は、例示的な装置２３０２中の異なるモジュール／手段／構成要素間のデータフローを示す概念データフロー図２３００である。本装置はＭＴＣ  ＵＥであり得る。本装置は、ｅＮＢ（たとえば、ｅＮＢ７０２）からＭＴＣ情報を備えるＳＩＢを受信する受信モジュール２３０４と、ＭＴＣ情報と意図されたシステムタイプとに部分的に基づいて、ｅＮＢにアクセスすべきかどうかを決定する決定モジュール２３０６と、ｅＮＢ７０２に送信を送るための送信モジュール２３０８とを含む。
【０１０７】
[00131]本装置は、図２０の上述のフローチャート中のアルゴリズムのステップの各々を実行する追加のモジュールを含み得る。したがって、図２０の上述のフローチャート中の各ステップは１つのモジュールによって実行され得、本装置は、それらのモジュールのうちの１つまたは複数を含み得る。それらのモジュールは、述べられたプロセス／アルゴリズムを行うために特に構成された１つまたは複数のハードウェア構成要素であるか、述べられたプロセス／アルゴリズムを実行するために構成されたプロセッサによって実装されるか、プロセッサによる実装のためにコンピュータ可読媒体内に記憶されるか、またはそれらの何らかの組合せであり得る。
【０１０８】
[00132]図２４は、処理システム２４１４を採用する装置２３０２’のためのハードウェア実装形態の一例を示す図２４００である。処理システム２４１４は、バス２４２４によって概略的に表されるバスアーキテクチャを用いて実装され得る。バス２４２４は、処理システム２４１４の特定の適用例および全体的な設計制約に応じて、任意の数の相互接続バスおよびブリッジを含み得る。バス２４２４は、プロセッサ２４０４、モジュール２３０４、２３０６、２３０８、およびコンピュータ可読媒体２４０６によって表される、１つまたは複数のプロセッサおよび／またはハードウェアモジュールを含む様々な回路を互いにリンクする。バス２４２４はまた、タイミングソース、周辺機器、電圧調整器、および電力管理回路など、様々な他の回路をリンクし得るが、これらの回路は当技術分野においてよく知られており、したがって、これ以上説明しない。
【０１０９】
[00133]処理システム２４１４はトランシーバ２４１０に結合され得る。トランシーバ２４１０は、１つまたは複数のアンテナ２４２０に結合される。トランシーバ２４１０は、伝送媒体を介して様々な他の装置と通信するための手段を与える。トランシーバ２４１０は、１つまたは複数のアンテナ２４２０から信号を受信し、受信された信号から情報を抽出し、抽出された情報を処理システム２４１４、特に受信モジュール２３０４に与える。さらに、トランシーバ２４１０は、処理システム２４１４、特に送信モジュール２３０８から情報を受信し、受信された情報に基づいて、１つまたは複数のアンテナ２４２０に適用されるべき信号を生成する。処理システム２４１４は、コンピュータ可読媒体２４０６に結合されたプロセッサ２４０４を含む。プロセッサ２４０４は、コンピュータ可読媒体２４０６に記憶されたソフトウェアの実行を含む一般的な処理を担当する。ソフトウェアは、プロセッサ２４０４によって実行されたとき、処理システム２４１４に、特定の装置のための上記で説明された様々な機能を実行させる。コンピュータ可読媒体２４０６はまた、ソフトウェアを実行するときにプロセッサ２４０４によって操作されるデータを記憶するために使用され得る。処理システムは、モジュール２３０４、２３０６、２３０８のうちの少なくとも１つをさらに含む。それらのモジュールは、プロセッサ２３０４中で動作するか、コンピュータ可読媒体２４０６中に常駐する／記憶されたソフトウェアモジュールであるか、プロセッサ２４０４に結合された１つまたは複数のハードウェアモジュールであるか、またはそれらの何らかの組合せであり得る。処理システム２４１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１１０】
[00134]一構成では、ワイヤレス通信のための装置２３０２／２３０２’は、ｅＮＢからＭＴＣ情報を備えるＳＩＢを受信するための手段のための手段と、ＭＴＣ情報と意図されたシステムタイプとに部分的に基づいて、ｅＮＢにアクセスすべきかどうかを決定するための手段とを含む。上述の手段は、上述の手段によって具陳された機能を実行するために構成された、装置２３０２、および／または装置２３０２’の処理システム２４１４の上述のモジュールのうちの１つまたは複数であり得る。上記で説明されたように、処理システム２４１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するために構成されたＴＸプロセッサ６６８、ＲＸプロセッサ６５６、およびコントローラ／プロセッサ６５９であり得る。
【０１１１】
[00135]開示されたプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１１２】
[00136]以上の説明は、当業者が本明細書で説明された様々な態様を実行できるようにするために提供される。これらの態様に対する様々な変更は当業者には容易に明らかであり、本明細書で定義された一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの（some）」という語は「１つまたは複数の」を表す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供されるものではない。いかなるクレーム要素も、その要素が「のための手段」という語句を使用して明確に具陳されていない限り、ミーンズプラスファンクションとして解釈されるべきではない。
【０１１３】
[00137]本明細書で説明された技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ）、ｃｄｍａ２０００などの無線技術を実装し得る。ＵＴＲＡは、時分割同期符号分割多元接続（ＴＤ−ＳＣＤＭＡ）、広い帯域ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ）などの無線技術を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを採用し、アップリンク上ではＳＣ−ＦＤＭＡを採用する、Ｅ−ＵＴＲＡを使用するＵＭＴＳのリリースである。ＵＴＲＡ、Ｅ−ＵＴＲＡ、ＵＭＴＳ、ＴＤ−ＳＣＤＭＡ、ＬＴＥおよびＧＳＭは、「第３世代パートナーシッププロジェクト」（３ＧＰＰ）と称する団体からの文書に記載されている。さらに、ｃｄｍａ２０００およびＵＭＢは、「第３世代パートナーシッププロジェクト２」（３ＧＰＰ２）と称する団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
以下に本願発明の当初の特許請求の範囲に記載された発明を付記する。
［Ｃ１］
ワイヤレスネットワークにおいてマシンタイプ通信（ＭＴＣ）を供するための方法であって、
ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することとを備える、上記方法。
［Ｃ２］
前記広いシステム帯域幅中の前記１つまたは複数のレガシーチャネルのうちの少なくとも１つを、前記１つまたは複数のＭＴＣ制御チャネルのうちの少なくとも１つでパンクチャすることをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ１に記載の方法。
［Ｃ３］
前記１つまたは複数のレガシーチャネルのうちの少なくとも１つで、前記広いシステム帯域幅中の前記１つまたは複数のＭＴＣ制御チャネルのうちの少なくとも１つを、パンクチャすることをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ１に記載の方法。
［Ｃ４］
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトすることをさらに備える、Ｃ１に記載の方法。
［Ｃ５］
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトすることをさらに備える、Ｃ１に記載の方法。
［Ｃ６］
システム情報ブロック中で非ＭＴＣ  ＵＥに対する禁止された周波数帯域幅を示すことをさらに備える、Ｃ１に記載の方法。
［Ｃ７］
システム情報ブロック中にＭＴＣインジケータビットを含めることをさらに備える、Ｃ１に記載の方法。
［Ｃ８］
前記ＭＴＣ制御チャネルは、前記広いシステム帯域幅のレガシーデータ領域中の複数のシンボルにわたる、Ｃ１に記載の方法。
［Ｃ９］
ＭＴＣを送信するための現在サブフレームを決定することと、
前記広いシステム帯域幅のレガシー制御領域を、ＭＴＣを送信するための前記現在のサブフレームを決定することに基づいて前記複数のシンボルに先行するいくつかのシンボルに制限することとをさらに備える、Ｃ８に記載の方法。
［Ｃ１０］
前記ＭＴＣ制御チャネルは、前記レガシー制御領域のための前記いくつかのシンボル中の最後のシンボルに続くシンボルにおいて開始する、Ｃ９に記載の方法。
［Ｃ１１］
ＭＴＣに関係するデータを通信するために広いシステム帯域幅内の狭い帯域幅を割り振るための手段と、
前記狭い帯域幅内のＭＴＣ  ＵＥのための１つまたは複数のＭＴＣ制御チャネル上で通信するためにＭＴＣ制御データを生成するための手段と、
前記広いシステム帯域幅上で１つまたは複数のレガシーチャネルと多重化された前記１つまたは複数のＭＴＣ制御チャネルを送信するための手段とを備える、ワイヤレス通信のための装置。
［Ｃ１２］
前記広いシステム帯域幅中の前記１つまたは複数のレガシーチャネルのうちの少なくとも１つを、前記１つまたは複数のＭＴＣ制御チャネルのうちの少なくとも１つでパンクチャするための手段をさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ１１に記載の装置。
［Ｃ１３］
前記広いシステム帯域幅中の前記１つまたは複数のＭＴＣ制御チャネルのうちの少なくとも１つを、前記１つまたは複数のレガシーチャネルのうちの少なくとも１つでパンクチャするための手段をさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ１１に記載の装置。
［Ｃ１４］
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネル、のうちの少なくとも１つを周波数においてシフトするための手段をさらに備える、Ｃ１１に記載の装置。
［Ｃ１５］
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするための手段をさらに備える、Ｃ１１に記載の装置。
［Ｃ１６］
システム情報ブロック中で非ＭＴＣ  ＵＥに対する禁止された周波数帯域幅を示すための手段をさらに備える、Ｃ１１に記載の装置。
［Ｃ１７］
システム情報ブロック中にＭＴＣインジケータビットを含めるための手段をさらに備える、Ｃ１１に記載の装置。
［Ｃ１８］
前記ＭＴＣ制御チャネルが前記広いシステム帯域幅のレガシーデータ領域中の複数のシンボルにわたる、Ｃ１１に記載の装置。
［Ｃ１９］
ＭＴＣを送信するための現在サブフレームを決定するための手段と、
前記広いシステム帯域幅のレガシー制御領域を、ＭＴＣを送信するための前記現在のサブフレームを決定することに基づいて前記シンボルに先行するいくつかのシンボルに制限するための手段とをさらに備える、Ｃ１８に記載の装置。
［Ｃ２０］
前記ＭＴＣ制御チャネルは、前記レガシー制御領域のための前記いくつかのシンボル中の最後のシンボルに続くシンボルにおいて開始する、Ｃ１９に記載の装置。
［Ｃ２１］
ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することとを行うように構成された処理システムを備える、ワイヤレス通信のための装置。
［Ｃ２２］
前記処理システムは、前記広いシステム帯域幅中の前記１つまたは複数のレガシーチャネルのうちの少なくとも１つを、前記１つまたは複数のＭＴＣ制御チャネルのうちの少なくとも１つでパンクチャするようにさらに構成され、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ２１に記載の装置。
［Ｃ２３］
前記処理システムは、前記広いシステム帯域幅中の前記１つまたは複数のＭＴＣ制御チャネルのうちの少なくとも１つを、前記１つまたは複数のレガシーチャネルのうちの少なくとも１つでパンクチャするようにさらに構成され、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ２１に記載の装置。
［Ｃ２４］
前記処理システムは、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトするようにさらに構成される、Ｃ２１に記載の装置。
［Ｃ２５］
前記処理システムは、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするようにさらに構成される、Ｃ２１に記載の装置。
［Ｃ２６］
前記処理システムが、システム情報ブロック中で非ＭＴＣ  ＵＥに対する禁止された周波数帯域幅を示すようにさらに構成される、Ｃ２１に記載の装置。
［Ｃ２７］
前記処理システムは、システム情報ブロック中にＭＴＣインジケータビットを含めるようにさらに構成される、Ｃ２１に記載の装置。
［Ｃ２８］
前記ＭＴＣ制御チャネルは、前記広いシステム帯域幅のレガシーデータ領域中の複数のシンボルにわたっている、Ｃ２１に記載の装置。
［Ｃ２９］
前記処理システムは、
ＭＴＣを送信するための現在のサブフレームを決定することと、
前記広いシステム帯域幅のレガシー制御領域を、ＭＴＣを送信するための前記現在のサブフレームを決定することに基づいて前記複数のシンボルに先行するいくつかのシンボルに制限することと、を行うようにさらに構成される、Ｃ２８に記載の装置。
［Ｃ３０］
前記ＭＴＣ制御チャネルは、前記レガシー制御領域のための前記いくつかのシンボル中の最後のシンボルに続くシンボルにおいて開始する、Ｃ２９に記載の装置。
［Ｃ３１］
ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することと、
のためのコードを備えるコンピュータ可読媒体を備える、コンピュータプログラム製品。
［Ｃ３２］
前記コンピュータ可読媒体が、前記広いシステム帯域幅中の前記１つまたは複数のレガシーチャネルのうちの少なくとも１つを、前記１つまたは複数のＭＴＣ制御チャネルのうちの少なくとも１つでパンクチャするためのコードをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ３１に記載のコンピュータプログラム製品。
［Ｃ３３］
前記コンピュータ可読媒体が、前記広いシステム帯域幅中の前記１つまたは複数のＭＴＣ制御チャネルのうちの少なくとも１つを、前記１つまたは複数のレガシーチャネルのうちの少なくとも１つでパンクチャするためのコードをさらに備え、ここにおいて、前記少なくとも１つのレガシーチャネルが、前記広いシステム帯域幅中の前記少なくとも１つのＭＴＣ制御チャネルと複数のシンボルを重複するレガシー制御チャネルである、Ｃ３１に記載のコンピュータプログラム製品。
［Ｃ３４］
前記コンピュータ可読媒体は、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトするためのコードをさらに備える、Ｃ３１に記載のコンピュータプログラム製品。
［Ｃ３５］
前記コンピュータ可読媒体は、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするためのコードをさらに備える、Ｃ３１に記載のコンピュータプログラム製品。
［Ｃ３６］
前記コンピュータ可読媒体は、システム情報ブロック中で非ＭＴＣ  ＵＥに対する禁止された周波数帯域幅を示すためのコードをさらに備える、Ｃ３１に記載のコンピュータプログラム製品。
［Ｃ３７］
前記コンピュータ可読媒体は、システム情報ブロック中にＭＴＣインジケータビットを含めるためのコードをさらに備える、Ｃ３１に記載のコンピュータプログラム製品。
［Ｃ３８］
前記ＭＴＣ制御チャネルは、前記広いシステム帯域幅のレガシーデータ領域中のシンボルにわたる、Ｃ３１に記載のコンピュータプログラム製品。
［Ｃ３９］
前記コンピュータ可読媒体は、
ＭＴＣを送信するための現在サブフレームを決定することと、
前記広いシステム帯域幅のレガシー制御領域を、ＭＴＣを送信するための前記現在サブフレームを決定することに基づいて前記シンボルに先行するいくつかのシンボルに制限することと、のためのコードをさらに備える、Ｃ３８に記載のコンピュータプログラム製品。
［Ｃ４０］
前記ＭＴＣ制御チャネルは、前記レガシー制御領域のための前記いくつかのシンボル中の最後のシンボルに続くシンボルにおいて開始する、Ｃ３９に記載のコンピュータプログラム製品。
【図１】
2018129854.tif 000003
【図２】
2018129854.tif 000004
【図３】
2018129854.tif 000005
【図４】
2018129854.tif 000006
【図５】
2018129854.tif 000007
【図６】
2018129854.tif 000008
【図７】
2018129854.tif 000009
【図８Ａ】
2018129854.tif 000010
【図８Ｂ】
2018129854.tif 000011
【図８Ｃ】
2018129854.tif 000012
【図９】
2018129854.tif 000013
【図１０Ａ】
2018129854.tif 000014
【図１０Ｂ】
2018129854.tif 000015
【図１１】
2018129854.tif 000016
【図１２】
2018129854.tif 000017
【図１３】
2018129854.tif 000018
【図１４】
2018129854.tif 000019
【図１５】
2018129854.tif 000020
【図１６】
2018129854.tif 000021
【図１７Ａ】
2018129854.tif 000022
【図１７Ｂ】
2018129854.tif 000023
【図１８】
2018129854.tif 000024
【図１９】
2018129854.tif 000025
【図２０】
2018129854.tif 000026
【図２１】
2018129854.tif 000027
【図２２】
2018129854.tif 000028
【図２３】
2018129854.tif 000029
【図２４】
2018129854.tif 000030
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
ワイヤレスネットワークにおいてマシンタイプ通信（ＭＴＣ）を提供するための方法であって、
ワイヤレスネットワークにおいてＭＴＣユーザ装置（ＵＥ）および非ＭＴＣ  ＵＥと通信するための複数の送信モードをサポートするノードＢにおいて、ＭＴＣ  ＵＥとのＭＴＣ通信のための送信を生成することと、
前記複数の送信モードのうちの単一の送信モードを使用して、前記ノードＢから前記ＭＴＣ  ＵＥへの送信を送ることと、ここにおいて、前記送信モードは、前記ワイヤレスネットワークにおいて全てのＭＴＣのために前記ノードＢによって使用される単一の送信モードであり、ここにおいて、前記送信モードは、１つまたは複数の制御チャネルのための空間周波数ブロック符号化（ＳＦＢＣ）をサポートする、
前記ノードＢからの前記送信に基づき、前記ＭＴＣ  ＵＥから後続の送信を受信することと、ここにおいて、前記ＭＴＣ  ＵＥは、前記後続の送信のために前記送信からの情報を使用する、
を備える方法。
【請求項２】
ＳＦＢＣは、情報ブロック制御データを含む制御チャネルのために使用される、請求項１に記載の方法。
【請求項３】
前記情報ブロック制御データは、低減マスタ情報ブロック（ＭＩＢ）またはマスタ情報ブロックおよびシステム情報ブロック（ＭＩＢ／ＳＩＢ）組み合わせに含まれる、請求項２に記載の方法。
【請求項４】
前記ＳＦＢＣは、ランダムアクセスチャネル（ＲＡＣＨ）プロシージャデータを含む制御チャネルのために使用される、請求項２に記載の方法。
【請求項５】
前記ＭＴＣ  ＵＥとの前記通信は、非ＭＴＣ  ＵＥとの通信よりも狭い帯域幅を使用している狭帯域通信である、請求項１に記載の方法。
【請求項６】
ワイヤレスネットワークにおいてＭＴＣを提供するためのノードＢ装置であって、
ワイヤレスネットワークにおいてＭＴＣユーザ装置（ＵＥ）および非ＭＴＣ  ＵＥと通信するための複数の送信モードをサポートするための手段と、
ＭＴＣ  ＵＥとのＭＴＣ通信のための送信を生成するための手段と、
前記複数の送信モードのうちの単一の送信モードを使用して、前記ノードＢから前記ＭＴＣ  ＵＥに送信を送るための手段と、ここにおいて、前記送信モードは、前記ワイヤレスネットワークにおいて全てのＭＴＣのために前記ノードＢによって使用される単一の送信モードであり、ここにおいて、前記送信モードは、１つまたは複数の制御チャネルのための空間周波数ブロック符号化（ＳＦＢＣ）をサポートする、
前記ノードＢからの前記送信に基づき、前記ＭＴＣ  ＵＥから後続の送信を受信するための手段と、ここにおいて、前記ＭＴＣ  ＵＥは、前記後続の送信のために前記送信からの情報を使用する、
を備えるノードＢ装置。
【請求項７】
ＳＦＢＣは、情報ブロック制御データを含む制御チャネルのために使用される、請求項６に記載の装置。
【請求項８】
前記情報ブロック制御データは、低減マスタ情報ブロック（ＭＩＢ）またはマスタ情報ブロックおよびシステム情報ブロック（ＭＩＢ／ＳＩＢ）組み合わせに含まれる、請求項７に記載の装置。
【請求項９】
前記ＳＦＢＣは、ランダムアクセスチャネル（ＲＡＣＨ）プロシージャデータを含む制御チャネルのために使用される、請求項７に記載の装置。
【請求項１０】
前記ＭＴＣ  ＵＥとの前記通信は、非ＭＴＣ  ＵＥとの通信よりも狭い帯域幅を使用している狭帯域通信である、請求項６に記載の装置。
【請求項１１】
ワイヤレスネットワークにおいてＭＴＣを提供するためのノードＢ装置と通信するＭＴＣユーザ装置（ＵＥ）であって、
複数の送信モードのうちの単一の送信モードを使用して、前記ノードＢからの送信を受信するための手段と、ここにおいて、前記複数の送信モードは、前記ワイヤレスネットワークにおいて前記ＭＴＣ  ＵＥおよび非ＭＴＣ  ＵＥと通信するために前記ノードＢによってサポートされ、前記送信モードは、前記ワイヤレスネットワークにおいて全てのＭＴＣのために前記ノードＢによって使用される単一の送信モードであり、ここにおいて、前記送信モードは、１つまたは複数の制御チャネルのための空間周波数ブロック符号化（ＳＦＢＣ）をサポートする、
前記ノードＢからの前記送信に基づき、前記ＭＴＣ  ＵＥから前記ノードＢに後続の送信を送るための手段と、ここにおいて、前記ＭＴＣ  ＵＥは、前記後続の送信のために前記送信からの情報を使用する、
を備えるＭＴＣ  ＵＥ。
【請求項１２】
ＳＦＢＣは、情報ブロック制御データを含む制御チャネルのために使用される、請求項１１に記載の装置。
【請求項１３】
前記情報ブロック制御データは、低減マスタ情報ブロック（ＭＩＢ）またはマスタ情報ブロックおよびシステム情報ブロック（ＭＩＢ／ＳＩＢ）組み合わせに含まれる、請求項１２に記載の装置。
【請求項１４】
前記ＳＦＢＣは、ランダムアクセスチャネル（ＲＡＣＨ）プロシージャデータを含む制御チャネルのために使用される、請求項１２に記載の装置。
【請求項１５】
前記ノードＢとの前記通信は、前記ノードＢと非ＭＴＣ  ＵＥとの通信よりも狭い帯域幅を使用している狭帯域通信である、請求項１１に記載の装置。